(57)【要約】      （修正有）【課題】不毛の大地の砂漠を緑化して、植物である穀物、果樹、野菜、及び樹木などを耕作することが出来る農耕地とする。【解決手段】桶形状物体１、又は発泡スチロール製箱１、又はポリ乳酸製発泡農業用箱１を使用して、地下から水溶液を散水して、毛細管現象により砂漠の表層である砂漠の表面上まで、水溶液を吸い上げさせる。桶形状物体１と砂漠の表層との中間に存在をしている砂漠の砂だけとの関係となるように、桶形状物体１を埋設をしている。砂漠の砂が含水をしている水分は、植物である穀物、果樹、野菜、及び樹木などの植物を栽培、生育、及び生長をさせるのに充分な水分を植物に供給をする。【選択図】図１
2014113140.tif 000002
【特許請求の範囲】
【請求項１】
日中温度が摂氏５０度以上に上昇をする砂漠に於いて栽培をしている穀物、果樹、野菜、及び樹木などの植物に、地中に水を遠い所に送る管である、塩化ビニール樹脂などで出来ている桶（１）、又は１箇所を縦方向に切断をしたパイプ（１）（以下、略して、桶、又は桶形状物体とする）を、地下３０ｃｍ前後の地下のところに埋設をして、さらに、桶形状物体（１）の内部に、砂漠の砂（４）が流入をするのを防止する防止弁（３）を、先端に取り付けている散水管（２）を桶形状物体（１）の内部に設置をして、桶形状物体（１）の内部に散水管（２）を経由して水を散水して、桶形状物体（１）の内部に入っている砂（４）に給水をする構造とした、畑の地下に桶形状物体（１）を埋設した構造とすることにより、砂漠の表面上から散水をするのとは異なり、桶形状物体（１）の内部に入っている砂（４）は、常時水分を含水している状態とすることが出来るので、砂漠でも、極く少ない水量を使用して植物である、穀物、果樹、野菜、及び樹木を生育させることが出来ることを特徴とする砂漠を緑化する方法、及びポリ乳酸製発泡農業用箱。
【請求項２】
砂漠の地下３０ｃｍ前後の地下のところから地上にかけて、ダンボール箱（１）、又はポリ乳酸製発泡農業用箱（１）（以下、略して、ダンボール箱、又はポリ乳酸製発泡農業用箱とする）を埋設して、さらに、ダンボール箱（１）の内側の側面上に生分解性プラスチックを原材料として出来ているフィルム（５）を被せて、ダンボール箱（１）の内部に散水をした水溶液が溜まる構造とした、ダンボール箱（１）の内部に散水管（２）を設置している構造の耕作地にて穀物、果樹、野菜、及び樹木などの植物を耕作することにより、極く安いコストにて、ダンボール箱（１）の内部に散水管（２）を経由して散水をした水溶液が、ダンボール箱（１）の内部に溜めることが出来る構造とした耕作地を、不毛の大地の砂漠に形成をすることにより、不毛の大地にて穀物、果樹、野菜、及び樹木などの植物を栽培することが出来ることを特徴とする砂漠を緑化する方法、及びポリ乳酸製発泡農業用箱。
【請求項３】
砂漠の地下３０ｃｍ前後の地下のところから地上にかけて、ダンボール箱（１）、又はポリ乳酸製発泡農業用箱（１）（以下、略して、ダンボール箱、又はポリ乳酸製発泡農業用箱とする）を埋設して、さらに、ダンボール箱（１）の内側の側面上にビニールフィルム（５）を被せて、ダンボール箱（１）の内部に散水をした水溶液が溜まる構造とした、ダンボール箱（１）の内部にて穀物、果樹、野菜、及び樹木などの植物を耕作することにより、極く安いコストにて、ダンボール箱（１）の内部に散水をした水溶液が、ダンボール箱（１）の内部に溜めることが出来る構造とした耕作地を、不毛の大地の砂漠に形成をすることにより、不毛の大地にて穀物、果樹、野菜、及び樹木などの植物を栽培することが出来ることを特徴とする砂漠を緑化する方法、及びポリ乳酸製発泡農業用箱。
【請求項４】
砂漠の地下３０ｃｍ前後の地下のところから地上にかけて、水溶液が漏れないような構造としたダンボール箱（１）、又は米国のカーギル社が開発をした、原材料が殻物由来のトウモロコシから出来ている、生分解性プラスチックを原材料として出来ているポリ乳酸製発泡農業用箱（１）、又はその他の原材料で出来ている、水溶液が漏れない構造とした容器（１）（以下、略して、ダンボール箱（１）、又はポリ乳酸製発泡農業用箱（１）とする）を、例えば、耕作地とする３０ｃｍ前後の地下のところから地上にかけて、ポリ乳酸製発泡農業用箱（１）を埋設して、埋設をしたポリ乳酸製発泡農業用箱（１）の内部に散水をした水溶液が溜まる構造とした、ポリ乳酸製発泡農業用箱（１）の内部にて穀物、果樹、野菜、及び樹木などの植物を耕作することにより、散水をした水溶液がポリ乳酸製発泡農業用箱（１）の内部に溜まることが出来る構造とした耕作地を、不毛の大地の砂漠に形成をして植物を耕作することにより、不毛の大地にて穀物、果樹、野菜、及び樹木などの植物を栽培することが出来ることを特徴とする砂漠を緑化する方法、及びポリ乳酸製発泡農業用箱。
【請求項５】
米国のカーギル社が開発をした、原材料が殻物由来のトウモロコシから出来ている、生分解性プラスチックを原材料として出来ているポリ乳酸製発泡農業用箱（１）を耕作地に埋設をして、埋設をしたポリ乳酸製発泡農業用箱（１）の内部に散水をした水溶液が溜まる構造とした耕作地である、ポリ乳酸製発泡農業用箱（１）の内部にて穀物、果樹、野菜、及び樹木などの植物を耕作する、最大の利点は、植物などの耕作が終了をした耕作地を、トラクターを使用して土壌とポリ乳酸製発泡農業用箱（１）とを一緒に粉砕をして、トラクターを使用して土壌を掘り返して土を軟らかくして、土壌を耕すことが出来ることが、生分解性プラスチックを原料として出来ている箱（１）、及び生分解性プラスチックを原材料として出来ているフィルム（５）を、水溶液を地中に溜める目的にて使用して穀物、果樹、野菜、及び樹木などの植物を栽培することが出来ることが、最大の利点であることを特徴とする砂漠を緑化する方法、及びポリ乳酸製発泡農業用箱。
【請求項６】
図１０、及び図１１に示しているのは、生分解性プラスチックを原材料として出来ている、例えば、仮称がポリ乳酸製発泡農業用箱（１）を使用して、ポリ乳酸製発泡農業用箱（１）の底面の部分に水溶液を溜めて穀物、果樹、野菜、及び樹木などの植物を栽培すると、植物の根が腐敗をする。この植物の根が腐敗をするのを防止する目的にて、図１０、及び図１１に示している、ポリ乳酸製発泡農業用箱（１）の側面上に穴（６）を形成して、この穴（６）を経由して、植物の根はポリ乳酸製発泡農業用箱（１）の外周を取り巻いている土壌の内部に進入をすることが出来るので、ポリ乳酸製発泡農業用箱（１）の側面上に穴（６）を形成することにより、植物の根の腐敗を防止することが出来ることを特徴とする砂漠を緑化する方法、及びポリ乳酸製発泡農業用箱。
【請求項７】
生分解性プラスチックの原材料は、土の中に存在をしている微生物が分解をすることが出来る、ポリ乳酸が原材料で出来ているので、上記にて説明をした、ポリ乳酸製発泡農業用箱（１）は土の中で微生物が分解をして、水と二酸化炭素を微生物は吐き出す。また、空気がないところで働く微生物の場合には、二酸化炭素とメタンガスなどを微生物は吐き出すので、ポリ乳酸製発泡農業用箱（１）を使用して穀物、果樹、野菜、及び樹木などの植物を耕作したあとの、地中に残っているポリ乳酸製発泡農業用箱（１）の処分方法としては、トラクターを使用して耕作地である土壌と一緒に粉砕をして、トラクターを使用して土壌を掘り返して土壌を軟らかくすることが出来ることを特徴とする砂漠を緑化する方法、及びポリ乳酸製発泡農業用箱。
【請求項８】
砂漠を緑化する目的のために、上記にて説明をした、原材料は異なるけれども、発泡スチロールの原材料はポリスチレンで出来ている、発泡スチロールと全く同様の、ポリ乳酸が原材料で出来ている、発泡スチロール製の容器の製造方法と全く同様の製造方法にて製造をした、ポリ乳酸製発泡農業用箱（１）を耕作地に、例えば、深さが３０ｃｍで、横巾が５０ｃｍの溝を耕作地である畑に、畝を形成する直下に、深さが３０ｃｍで、横巾が５０ｃｍの溝を形成して、畝の真下の部分に当たるところに形成をしている溝の内部に、例えば、高さが３０ｃｍで、横巾が５０ｃｍで、長さが１ｍで、肉厚が２ｃｍの、ポリ乳酸性発泡農業用箱（１）を、畝の真下に当たるところの部分に、ポリ乳酸製発泡農業用箱（１）を畝の真下部分に畝に対して平行に埋設をして、埋設をしたポリ乳酸製発泡農業用箱（１）の内部に散水をした水溶液を溜めることが出来る構成とする。これにより溜池の効果と同様の効果となる。この溜池の効果と同様の効果を目的とする、ポリ乳酸製発泡農業用箱（１）の内部に溜めている水溶液を使用して穀物、果樹、野菜、及び樹木などの植物を栽培することになるので、極く簡単な構造であり、極く安価であり、作業性がよくて、環境に優しくて、環境に負荷をかけない、ポリ乳酸製発泡農業用箱（１）を使用することにより、ポリ乳酸製発泡農業用箱（１）を使用して、極く簡便に砂漠を緑化することが出来ることを特徴とする砂漠を緑化する方法、及びポリ乳酸製発泡農業用箱。
【請求項９】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水をして、桶形状物体（１）の内部に堆積をしている砂漠の砂（４）が含水をしている水分は毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを特徴とする砂漠を緑化する方法、及びその装置。
【請求項１０】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、散水管（２）を経由して砂漠の砂（４）に水溶液を含水させる。さらに、砂が流入をするのを防止する防止弁（３）を経由して砂漠の砂（４）に水溶液を含水させることにより、砂漠の地表と散水管（２）との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを特徴とする砂漠を緑化する方法、及びその装置。
【請求項１１】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、さらに、砂（４）が流入をするのを防止する防止弁（３）を経由して給水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態である。この砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水管（２）を経由して給水をさせて、さらに、砂（４）が流入をするのを防止する防止弁（３）を経由した水溶液は、桶形状物体（１）の内部に堆積をしている、砂漠の砂（４）が含水をする。この砂漠の砂（４）に含水をさせた水溶液は、毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを特徴とする砂漠を緑化する方法、及びその装置。
【請求項１２】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、さらに、砂（４）が流入をするのを防止する防止弁（３）を経由して給水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態である。この砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水管（２）を経由して給水をさせて、さらに、砂（４）が流入をするのを防止する防止弁（３）を経由した水溶液は、桶形状物体（１）の内部に堆積をしている、砂漠の砂（４）が含水をする。この砂漠の砂（４）に含水をさせた水溶液は、毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを特徴とする砂漠を緑化する方法、及びその装置。
【請求項１３】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水をして、ポリ乳酸製発泡農業用箱（１）の内部に堆積をしている砂漠の砂（４）が含水をしている水分は毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを特徴とする砂漠を緑化する方法、及びその装置。
【請求項１４】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、砂（４）が流入をするのを防止する防止弁（３）を経由して給水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に、地表から散水管（２）を経由した水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水管（２）を経由して給水をさせて、さらに、砂（４）が流入をするのを防止する防止弁（３）を経由した水溶液は、ポリ乳酸製発泡農業用箱（１）の内部に堆積をしている砂漠の砂（４）が含水をする。この砂漠の砂が含水をしている水溶液は、毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを特徴とする砂漠を緑化する方法、及びその装置。
【請求項１５】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、砂（４）が流入をするのを防止する防止弁（３）を経由して給水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に、地表から散水管（２）を経由した水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水管（２）を経由して給水をさせて、さらに、砂（４）が流入をするのを防止する防止弁（３）を経由した水溶液は、ポリ乳酸製発泡農業用箱（１）の内部に堆積をしている砂漠の砂（４）が含水をする。この砂漠の砂が含水をしている水溶液は、毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを特徴とする砂漠を緑化する方法、及びその装置。
【請求項１６】
例えば、砂漠の地下１ｍ前後のところに、直径が３０ｃｍ前後の桶形状物体（１）を埋設して、埋設をしている桶形状物体（１）の凹形状をした内部に水溶液をバルブ（８）を経由して水溶液を流すことにより、人工的に砂漠の地下１ｍ前後のところに、人口の水路、又は水脈（以下、略して、水脈とする）を形成することになる。砂漠の表面上から散水をした場合には、水溶液は瞬時に蒸発をする、けれども、図１９に示している、バルブ（８）を経由して、砂漠の地下１ｍ前後のところに水溶液を注水するのであれば、水溶液は蒸発をすることもないので、砂漠の地下１ｍ前後のところの、砂漠の砂に水溶液を供給することが出来ることになる。この砂漠の地下１ｍ前後の砂漠の砂が含水をした水溶液は、砂漠の表面上の温度が摂氏８０度前後と高くて、乾燥をしているので、砂漠の地下１ｍ前後の深さのところに埋設をしている、桶形状物体（１）の内部に流している水溶液は、毛細管現象により上の方向である砂漠の表層に上昇をする。この桶形状物体（１）の内部に流している水溶液が毛細管現象により、砂漠の表層に水溶液が上昇をするときに、水分は気化をして、砂漠の地中の高温状態の地中の温度を奪うことになる。この砂漠の表層の温度が摂氏８０度前後まで上昇をしていても、砂漠の地中温度は摂氏３５度前後の温度を維持することになる。この上記にて説明をした、砂漠の地下１ｍ前後のところに、極く少量の水溶液を流すことにより、砂漠の地中の温度を低下させて、砂漠の地下に水分を供給することになる。このことにより、砂漠といえども、植物である穀物、果樹、野菜、及び樹木などを栽培するのに、最適の土地となることを発明・発見をした。これにより、トウモロコシ、薩摩芋、ニンジン、ダイコン、白菜、キャベツ、トマト、ブドウ、山芋、パイナップル、ラッキョ、ニンニク、玉ネギ、ゴボウ、及びユーカリなどを栽培することが出来ることを特徴とする砂漠を緑化する方法、及びその装置。
【請求項１７】
例えば、砂漠の地下１ｍ前後のところに、直径が３０ｃｍ前後の桶形状物体（１）を埋設して、埋設をしている桶形状物体（１）の凹形状をした内部に水溶液をバルブ（８）を経由して水溶液を流すことにより、人工的に砂漠の地下１ｍ前後のところに、人口の水路、又は水脈（以下、略して、水脈とする）を形成することになる。砂漠の表面上から散水をした場合には、水溶液は瞬時に蒸発をする、けれども、図２０に示している、バルブ（８）を経由して、砂漠の地下１ｍ前後のところに水溶液を注水するのであれば、水溶液は蒸発をすることもないので、砂漠の地下１ｍ前後のところの、砂漠の砂に水溶液を供給することが出来ることになる。この砂漠の地下１ｍ前後の砂漠の砂が含水をした水溶液は、砂漠の表面上の温度が摂氏８０度前後と高くて、乾燥をしているので、砂漠の地下１ｍ前後の深さのところに埋設をしている、桶形状物体（１）の内部に流している水溶液は、毛細管現象により上の方向である砂漠の表層に上昇をする。この桶形状物体（１）の内部に流している水溶液が毛細管現象により、砂漠の表層に水溶液が上昇をするときに、水分は気化をして、砂漠の地中の高温状態の地中の温度を奪うことになる。この砂漠の表層の温度が摂氏８０度前後まで上昇をしていても、砂漠の地中温度は摂氏３５度前後の温度を維持することになる。この上記にて説明をした、砂漠の地下１ｍ前後のところに、極く少量の水溶液を流すことにより、砂漠の地中の温度を低下させて、砂漠の地下に水分を供給することになる。このことにより、砂漠といえども、植物である穀物、果樹、野菜、及び樹木などを栽培するのに、最適の土地となることを発明・発見をした。これにより、スイカ、トウモロコシ、薩摩芋、ニンジン、ダイコン、白菜、キャベツ、トマト、ブドウ、山芋、パイナップル、ラッキョ、ニンニク、玉ネギ、ゴボウ、及びユーカリなどを栽培することが出来ることを特徴とする砂漠を緑化する方法、及びその装置。
【請求項１８】
砂漠で稲作を可能とする目的にて、砂漠の表面上に平面状態に整地をしたあとの、砂漠の表層（１０）の表面上に畝（１１）を形成したあとの、畝（１１）の表面上に、ポリエチレンで出来ているフィルム（１２）、又は紙製黒色マルチ（１２）、又は生分解性プラスチックで出来ているグリーンプラマルチフィルム（１２）、又はその他のフィルム（１２）（以下、略して、フィルム１２とする）を使用して、畝（１１）の表面上を覆ったあとの、畝（１１）の表面上を覆っているフィルム（１２）の表面上に桶形状物体（１）を設置して、さらに、桶形状物体（１）の内部に散水管（２）を配管したあと、桶形状物体（１）の表面上に、例えば、砂漠の砂（４）を桶形状物体（１）の表面上に、高さが３０ｃｍ前後の盛り砂（４）をして、桶形状物体（１）と、フィルム（１２）、及び散水管（２）を埋設して、バルブ（９）、及び散水管（２）を経由して桶形状物体（１）の内部に水溶液を散水して植物である穀物、果樹、野菜、及び樹木などの植物を栽培、生育、及び生長をさせるのに必要な水溶液が、砂漠の地下に漏水をして逃げないように、砂漠の地下３０ｃｍ前後のところにフィルム（１２）を使用して耕作地（１３）の全面積を覆って、散水管（２）を経由して散水をした水溶液が砂漠の地下に漏れて漏水をさせない構成とすると、同時に、防水壁（１４）を耕作地（１３）の外周の側壁に形成をして、耕作地（１３）の内部に水溶液を満水状態に注水をした、稲作を可能とすることを目的とした、砂漠の水田にて稲作を行なうことを特徴とする砂漠に於いて稲作を可能とする方法、及びその装置。
【請求項１９】
砂漠に於いて植物である穀物、果樹、野菜、及び樹木が生育、及び生長をすることが出来ない、最大の理由は、砂漠の砂（４）が含有をしている塩分の塩分濃度が、約１０００PPMある。人体の塩分濃度は３００PPM程度である。この砂漠の砂（４）が含有をしている塩分濃度は、例えば、砂漠の地下が１ｍよりも、地下が２ｍのほうが塩分濃度は高い。さらに、地下が２ｍよりも、地下が３ｍのほうが、より一段と塩分濃度は高いのが砂漠時有の現象である。この塩分濃度が高い砂漠の砂（４）に、砂漠の表層（１０）の表面上から水溶液を散水すると、砂漠の砂（４）が含有をしている塩分が、砂漠の表層（１０）から散水をすれば、するほど、蒸散作用、又は蒸発作用（以下、略して、蒸散作用とする）の現象により、砂漠の表層（１０）である、砂漠の表面上には、砂漠の地下から塩分が上昇をして、砂漠の表層（１０）である、砂漠の表面上には、例えば、塩分濃度が５０００PPMから１００００PPMと、砂漠の表層（１０）の表面上から散水をすれば、するほどに、塩分濃度が高くなることが、砂漠に於いて植物である穀物、果樹、野菜、及び樹木が生育、及び生長をすることが出来ないことが、最大の理由である。また、地球上で、最も塩分に強い植物としては、ナツメヤシである。このナツメヤシは、塩分濃度が１０００PPMの砂漠でも生育、及び生長をすることが出来る。さらに薩摩芋は８００PPMから１０００PPM程度でも十分に生育、及び生長をすることが出来る。この砂漠の表層（１０）の砂（４）が含有をしている塩分濃度が１０００PPMである。この砂漠の砂（４）が含有をしている塩分濃度が１０００PPM以上にならないようにするのには、砂漠の表層（１０）の表面上から散水をしなければ、砂漠の表層（１０）の表面上の砂（４）が含有をしている塩分濃度は１０００PPMを維持することになる。この問題を解決する手段として、下記に説明をしている、桶形状物体（１）、又は発泡スチロール製箱（１）、又はポリ乳酸製発泡農業用箱（１）（以下、略して、桶形状物体（１）とする）を使用して、地下から水溶液を散水して、毛細管現象により砂漠の表層（１０）である、砂漠の表面上まで、水溶液を吸い上げさせると、桶形状物体（１）と砂漠の表層（１０）との中間に存在をしている砂漠の砂（４）だけとの関係となり、桶形状物体（１）を埋設をしている、例えば、砂漠の地下１ｍの地点に桶形状物体（１）を埋設して水溶液を散水するのであれば、砂漠の地下１ｍの地点に埋設をしている桶形状物体（１）よりも深い、砂漠の地下１ｍよりも深い、砂漠の砂（４）が含有をしている塩分が、砂漠の表層（１０）である、砂漠の表面上まで上昇をするのを、桶形状物体（１）を埋設している地点にて遮断をすることが出来ることを発明・発見した。この発明・発見により、砂漠の砂（４）が含有をしている塩分濃度が強い塩害を防止することが出来る農業技術を研究開発したことにより、極く近い将来、砂漠は穀倉地帯となる可能性を秘めていることを特徴とする砂漠に於いて稲作を可能とする方法、及びその装置。
【請求項２０】
桶形状物体（１）を砂漠の地下１ｍ前後の地下のところに埋設をして、桶形状物体（１）の内部に散水管（２）を経由して水溶液を供給して植物である穀物、果樹、野菜、及び樹木などの植物を栽培すると、桶形状物体（１）を埋設している地下１ｍ前後の地点と、砂漠の表層（１０）との中間に存在をしている、砂漠の砂（４）が含有をしている塩分を植物である穀物、果樹、野菜、及び樹木が、年々塩分を吸収して蒸散作用にて蒸散をすることにより、桶形状物体（１）と砂漠の表層（１０）との中間に存在をしている、砂漠の砂（４）が含有をしている塩分濃度は年々低下をする。また、塩分濃度が高い砂漠の砂（４）を耕作地として薩摩芋、トマト、トウモロコシ、ニンジン、カボチャ、パイナップル、及びマンゴーなどの植物を栽培すると糖度が高くなる利点があることを特徴とする砂漠に於いて稲作を可能とする方法、及びその装置。
【請求項２１】
砂漠の砂（４）が含有をしている塩分の塩分濃度が高いために、砂漠に於いては、例えば、砂漠の砂（４）が含有をしている塩分濃度が１０００PPM前後と高濃度の塩分濃度なので、植物として生長、及び生育が出来るのは、せいぜいナツメヤシぐらいの植物しか栽培をすることが出来ないのが砂漠の表層（１０）の現状である。この砂漠の砂（４）が含有をしている塩分を、砂漠の砂（４）が含有をしている、砂漠の表層（１０）の表面上にて植物である穀物、果樹、野菜、及び樹木などの植物を栽培すると、植物は蒸散作用により、砂漠の地下から植物は塩分を、次から次に吸い上げて、砂漠の表層（１０）の表面上に塩分を蒸散作用にて撒き散らすので、砂漠の表層（１０）の表面上の塩分濃度は、植物を栽培すれば、するほどに、砂漠の表層（１０）の表面上の塩分濃度は、どんどんと高くなるがために、砂漠の表層（１０）の表面上では、植物を栽培することが出来ないことが砂漠の最大の欠点である。この砂漠の砂（４）が含有をしている塩分の影響を回避するために、発泡スチロール製箱（１）を砂漠の表層（１０）の表面上に敷き詰めて、砂漠の地下と植物などとを栽培している、砂漠の表層（１０）である耕作地（７）とを断絶させて、砂漠の表層（１０）の表面上に砂漠の地下から植物が蒸散作用にて塩分を吸い上げることが出来ない構造とした耕作地（７）を提供することを目的とする。この砂漠の地下から植物が蒸散作用により塩分を吸い上げることが出来ない構造の耕作地（７）を提供する目的にて、砂漠の表層（１０）の地下を掘り下げて、例えば、３０ｃｍから１ｍ前後の砂漠の地下を掘り下げて砂漠の地下に、高さが３０ｃｍで、縦巾が４５ｃｍで、横巾が４５ｃｍの発泡スチロール製箱（１）を直列、及び並列に並べて耕作地（７）を形成する目的にて、砂漠の地下の耕作地（７）とする面積の、全ての面積に発泡スチロール製箱（１）を並べて盛り土（１７）をして埋没をさせたあと、発泡スチロール製箱（１）の表面上に耕作地（７）を形成することが出来ることを特徴とする砂漠に於いて稲作を可能とする方法、及びその装置。
【請求項２２】
砂漠の砂（４）が含有をしている塩分の塩分濃度が高いために、砂漠に於いては、例えば、砂漠の砂（４）が含有をしている塩分濃度が１０００PPM前後と高濃度の塩分濃度なので、植物として生長、及び生育が出来るのは、せいぜいナツメヤシぐらいの植物しか栽培をすることが出来ないのが砂漠の表層（１０）の現状である。この砂漠の砂（４）が含有をしている塩分を、砂漠の砂（４）が含有をしている、砂漠の表層（１０）の表面上にて植物である穀物、果樹、野菜、及び樹木などの植物を栽培すると、植物は蒸散作用により、砂漠の地下から植物は塩分を、次から次に吸い上げて、砂漠の表層（１０）の表面上に塩分を蒸散作用にて撒き散らすので、砂漠の表層（１０）の表面上の塩分濃度は、植物を栽培すれば、するほどに、砂漠の表層（１０）の表面上の塩分濃度は、どんどんと高くなるがために、砂漠の表層（１０）の表面上では、植物を栽培することが出来ないことが砂漠の最大の欠点である。この砂漠の砂（４）が含有をしている塩分の影響を回避するために、発泡スチロール製箱（１）を砂漠の表層（１０）の表面上に敷き詰めて、砂漠の地下と植物などとを栽培している、砂漠の表層（１０）である耕作地（７）とを断絶させて、砂漠の表層（１０）の表面上に砂漠の地下から植物が蒸散作用にて塩分を吸い上げることが出来ない構造とした耕作地（７）を提供することを目的とする。この砂漠の地下から植物が蒸散作用により塩分を吸い上げることが出来ない構造の耕作地（７）を提供する目的にて、砂漠の表層（１０）の表面上を整地して、例えば、高さが３０ｃｍで、縦巾が４５ｃｍで、横巾が４５ｃｍの発泡スチロール製箱（１）を直列、及び並列に並べて耕作地（７）を形成する目的にて、砂漠の表層（１０）の表面上に耕作地（７）とする面積の、全ての面積に発泡スチロール製箱（１）を並べたあと、発泡スチロール製箱（１）の上部の部分に、例えば、高さが３０ｃｍから１ｍ前後の盛り土（１７）をして、発泡スチロール製箱（１）の表面上に耕作地（７）を形成することが出来ることを特徴とする砂漠に於いて稲作を可能とする方法、及びその装置。
【請求項２３】
福島県にある、原子力発電所の事故により、周辺地域の運動場、又は水田、畑、耕作地などの土壌が、セシウムなどの放射性物質に汚染をされて、人体、及び植物を栽培するのに、人体、及び植物に影響を与える、放射線量を上回っている、運動場、又は耕作地の地域が広い範囲の地域にて発生をしている。この放射能、又は放射線（以下、略して、放射能とする）例えば、セシウム、プルトニウム、又はその他の放射性物質（以下、略して、セシウムとする）である、セシウムに汚染をされた、運動場、水田、畑、及びその他の土壌（以下、略して、運動場、又は耕作地、又は土壌とする）が、セシウムなどの放射性物質に汚染をされた運動場、又は耕作地の、放射性物質の放射線量を低下させて、人体に影響を与えない、安全な運動場、又は安全な植物を育成させて成長をさせることが出来る耕作地を提供することを目的とする。この目的を達成するために、セシウムなどの放射能を効率よく吸収をすることが出来る、活性炭、又はゼオライトなどを混入して成型をした、発泡スチロール製板（１）、又は発泡スチロール製箱（１）を使用して、セシウムなどの放射能を除去する目的のために、放射能に汚染をされている地下に、例えば、発泡スチロールで出来ている、厚さが、３ｃｍ、又は５ｃｍ、又は１０ｃｍ前後の、縦×横が、４５ｃｍ×４５ｃｍ、又は１ｍ前後の、ヤシ殻活性炭、又はバカス活性炭、又はカーボンブラック、又はケッチェンブラック、又はカーボンナノチューブ、又はグラフェン、又はゼオライト（以下、略して、活性炭、又はゼオライトとする）を、発泡スチロールを成型する原材料の内部に混入して混合をして、活性炭、又はゼオライトを、発泡スチロールの原材料の内部に混入した原材料を使用して成型をした、発泡スチロールで出来ている、発泡スチロール製板のカット板（１）、又は発泡スチロール製箱（１）を直列、及び並列に並べたあと、発泡スチロール製箱（１）の上から、放射能に汚染をされていない土壌（４）を盛り土して、発泡スチロール製箱（１）を埋没させている盛り砂、又は盛り土（以下、略して、盛り土とする）を使用して、運動場、又は耕作地などが含有をしている、セシウムなどの放射能を除去することを目的とする。
この放射能に汚染をされた運動場（１９）、又は耕作地（１９）が含有をしている、セシウムなどの放射性物質を、運動場（１９）、又は耕作地（１９）の表面上にて植物である穀物、果樹、野菜、及び樹木などの植物を栽培すると、植物は蒸散作用により、放射能に汚染をされた地下から植物は、セシウムなどの放射性物質を、次から次にと吸い上げて、運動場（１９）、又は耕作地（１９）の表面上にセシウムなどの放射性物質を蒸散作用にて撒き散らすので、放射能に汚染をされた耕作地（１９）の表面上の、セシウムなどの放射性物質の放射線量の数値は、植物を栽培すれば、するほどに、運動場（１９）、又は耕作地（１９）の表面上のセシウムなどの放射性物質の濃度は、どんどんと高くなる。この問題を回避するために、運動場（１９）、又は耕作地（１９）の地下に発泡スチロール製箱（１）を敷き詰めて、耕作地（１９）の表層と、植物などとを栽培している地下とを断絶させて、運動場（１９）、又は耕作地（１９）の表面上に運動場（１９）、又は耕作地（１９）の地下から、植物が蒸散作用にて、セシウムなどの放射性物質を蒸散作用にて、運動場（１９）、又は耕作地（１９）の表面上に吸い上げることが出来ない構造とした運動場（１９）、又は耕作地（１９）を提供することを目的とする。この運動場（１９）、又は耕作地（１９）の地下から、植物の蒸散作用により、セシウムなどの放射性物質を吸い上げることが出来ない構造の耕作地（１９）を提供する目的にて、例えば、運動場（１９）、又は耕作地（１９）の地下、３０ｃｍから５０ｃｍの、地下を掘り下げて、運動場（１９）、又は耕作地（１９）の地下に、発泡スチロールで出来ている、厚さが、３ｃｍ、又は５ｃｍ、又は１０ｃｍ前後の、縦×横が、４５ｃｍ×４５ｃｍ、又は１ｍ×１ｍ前後の、発泡スチロールで出来ている、発泡スチロール製板のカット板（１）、又は高さが、１０ｃｍ、又は３０ｃｍで、縦巾が４５ｃｍで、横巾が４５ｃｍの発泡スチロール製箱（１）を直列、及び並列に並べて運動場（１９）、又は耕作地（１９）を形成して、発泡スチロール製箱（１）と、植物などを栽培する、運動場（１９）、又は耕作地（１９）の表面上と、発泡スチロール製箱（１）との中間だけで水溶液を循環させる構成とするために、運動場（１９）、又は耕作地（１９）の地下の、全ての面積に発泡スチロール製箱（１）を直列、及び並列に並べて盛り土（２０）をして、発泡スチロール製箱（１）を埋設させたあと、発泡スチロール製箱（１）の表面上に運動場（１９）、又は耕作地（１９）を形成している発泡スチロール製箱（１）を使用して、放射能の影響を除去した運動場、耕作地、及び土壌改良を行なうことを特徴とする土壌改良、及びその土壌改良方法。
【請求項２４】
福島県にある、原子力発電所の事故により、周辺地域の運動場、又は水田、畑、耕作地などの土壌が、セシウムなどの放射性物質に汚染をされて、人体、及び植物を栽培するのに、人体、及び植物に影響を与える、放射線量を上回っている、運動場、又は耕作地の地域が広い範囲の地域にて発生をしている。この放射能、又は放射線（以下、略して、放射能とする）例えば、セシウム、プルトニウム、又はその他の放射性物質（以下、略して、セシウムとする）である、セシウムに汚染をされた、運動場、水田、畑、及びその他の土壌（以下、略して、運動場、又は耕作地、又は土壌とする）が、セシウムなどの放射性物質に汚染をされた耕作地の、放射性物質の放射線量を低下させて、人体に影響を与えない、安全な運動場、又は安全な植物を育成させて成長をさせることが出来る耕作地を提供することを目的とする。
この放射能に汚染をされた運動場（１９）、又は耕作地（１９）が含有をしている、セシウムなどの放射性物質を、運動場（１９）、又は耕作地（１９）の表面上にて植物である穀物、果樹、野菜、及び樹木などの植物を栽培すると、植物は蒸散作用により、放射能に汚染をされた地下から植物は、セシウムなどの放射性物質を、次から次にと吸い上げて、運動場（１９）、又は耕作地（１９）の表面上にセシウムなどの放射性物質を蒸散作用にて撒き散らすので、放射能に汚染をされた運動場（１９）、又は耕作地（１９）の表面上の、セシウムなどの放射性物質の放射線量の数値は、植物を栽培すれば、するほどに、運動場（１９）、又は耕作地（１９）の表面上のセシウムなどの放射性物質の濃度は、どんどんと高くなる。この問題を回避するために、運動場（１９）、又は耕作地（１９）の地下に発泡スチロール製箱（１）を敷き詰めて、運動場（１９）、又は耕作地（１９）の表層と、植物などとを栽培している地下とを断絶させて、運動場（１９）、又は耕作地（１９）の表面上に耕作地（１９）の地下から、植物が蒸散作用にて、セシウムなどの放射性物質を蒸散作用にて、運動場（１９）、又は耕作地（１９）の表面上に吸い上げることが出来ない構造とした運動場（１９）、又は耕作地（１９）を提供することを目的とする。この運動場（１９）、又は耕作地（１９）の地下から、植物の蒸散作用により、セシウムなどの放射性物質を吸い上げることが出来ない構造の運動場（１９）、又は耕作地（１９）を提供する目的にて、例えば、放射能に汚染をされた運動場（１９）、又は耕作地（１９）の表面上を整地して、例えば、発泡スチロールで出来ている、厚さが、３ｃｍ、又は５ｃｍ、又は１０ｃｍ前後の、縦×横が、４５ｃｍ×４５ｃｍ、又は１ｍ×１ｍ前後の、発泡スチロールで出来ている、発泡スチロール製板のカット板（１）、又は高さが、３０ｃｍで、縦巾が４５ｃｍで、横巾が４５ｃｍの発泡スチロール製箱（１）を直列、及び並列に並べて、放射能に汚染をさせていない土壌（４）を使用して、運動場（１９）、又は耕作地（１９）を形成する目的にて、放射能に汚染をされている運動場（１９）、又は耕作地（１９）の、全ての面積に発泡スチロール製箱（１）を並べたあと、発泡スチロール製箱（１）の上部の部分に、例えば、高さが１０ｃｍ、又は３０ｃｍから１ｍ前後の盛り土（２０）をして、発泡スチロール製箱（１）の表面上に運動場（１９）、又は耕作地（１９）を形成して、放射能の影響を除去した運動場、耕作地、及び土壌改良を行なうことを特徴とする土壌改良、及びその土壌改良方法。
【発明の詳細な説明】
【技術分野】
【０００１】
本発明は、砂漠を緑化するのに、散水を行なう水分の蒸発を、極く少量にして、砂漠にて果樹、野菜、及び樹木を育成させることを目的とする。
【０００２】
また、本発明は、放射能、又は放射線（以下、略して、放射能とする）例えば、セシウム、プルトニウム、又はその他の放射性物質（以下、略して、セシウムとする）である、セシウムに汚染をされた、水田、畑、及びその他の土壌（以下、略して、耕作地、又は土壌とする）が、セシウムなどの放射性物質に汚染をされた耕作地の、放射性物質の放射線量を低下させて、人体に影響を与えない、安全な植物を育成させて成長をさせることが出来る耕作地を提供することを目的とする。
さらに、本発明は、放射能、又は放射線（以下、略して、放射能とする）例えば、セシウム、プルトニウム、又はその他の放射性物質（以下、略して、セシウムとする）である、セシウムに汚染をされた、幼稚園、小学校、中学校、高等学校、大学校、又はその他の学校の運動場（以下、略して、運動場とする）が、セシウムなどの放射性物質に汚染をされた運動場の、放射性物質の放射線量を低下させて、人体に影響を与えない、セシウムなどの放射性物質の放射線量を基準値以下とした、安全な運動場を提供することを目的とする。
【０００３】
また、セシウムなどの放射能を効率よく吸収をすることが出来る、活性炭、又はゼオライトなどを混入して成型をした、発泡スチロール製板（１）、又は発泡スチロール製箱（１）を使用して、セシウムなどの放射能を除去する目的のために、放射能に汚染をされている地下に、例えば、発泡スチロールで出来ている、厚さが、３ｃｍ、又は５ｃｍ、又は１０ｃｍ前後の、縦×横が、４５ｃｍ×４５ｃｍ、又は１ｍ前後の、ヤシ殻活性炭、又はバカス活性炭、又はカーボンブラック、又はケッチェンブラック、又はカーボンナノチューブ、又はグラフェン、又はゼオライト（以下、略して、活性炭、又はゼオライトとする）を、発泡スチロールを成型する原材料の内部に混入して混合をして、活性炭、又はゼオライトを、発泡スチロールの原材料の内部に混入した原材料を使用して成型をした、発泡スチロールで出来ている、発泡スチロール製板のカット板（１）、又は発泡スチロール製箱（１）を直列、及び並列に並べたあと、発泡スチロール製箱（１）の上から、放射能に汚染をされていない土壌（４）を盛り土して、発泡スチロール製箱（１）を埋没させている盛り砂、又は盛り土（以下、略して、盛り土とする）を使用して、運動場、又は耕作地などが含有をしている、セシウムなどの放射能を除去することを目的とする。
【背景技術】
【０００４】
砂漠に於いては、日中温度が摂氏５０度以上に上昇をして、砂漠の表層（１０）の表面温度が摂氏８０度前後に上昇をするので、砂漠にて栽培をしている果樹、野菜、及び樹木（以下、略して、果樹、又は植物とする）に、植物が必要としている水を砂漠の表面上から散水しても、瞬時に水分は蒸発をするので砂漠に於いては果樹、野菜、及び樹木などの植物を栽培することが出来ないとされている。
【０００５】
また、福島県にある、原子力発電所の事故により、数多くの学校の運動場の土壌、又は周辺地域の水田、畑、耕作地などの土壌が、セシウムなどの放射性物質に汚染をされて、人体、及び植物を栽培するのに、人体、及び植物に影響を与える、放射線量を上回っている、学校の運動場、又は耕作地などの地域が広い範囲の地域にて発生をしている。
【発明の概要】
【発明が解決しようとする課題】
【０００６】
砂漠に於いて植物である穀物、果樹、野菜、及び樹木が生育、及び生長をすることが出来ない、最大の理由は、砂漠の砂（４）が含有をしている塩分の塩分濃度が、約１０００PPMある。人体の塩分濃度は３００PPM程度である。この砂漠の砂（４）が含有をしている塩分濃度は、例えば、砂漠の地下が１ｍよりも、地下が２ｍのほうが塩分濃度は高い。さらに、地下が２ｍよりも、地下が３ｍのほうが、より一段と塩分濃度は高いのが砂漠時有の現象である。この塩分濃度が高い砂漠の砂（４）に、砂漠の表層（１０）の表面上から水溶液を散水すると、砂漠の砂（４）が含有をしている塩分が、砂漠の表層（１０）から散水をすれば、するほど、蒸散作用、又は蒸発作用（以下、略して、蒸散作用とする）の現象により、砂漠の表層（１０）である、砂漠の表面上には、砂漠の地下から塩分が上昇をして、砂漠の表層（１０）である、砂漠の表面上には、例えば、塩分濃度が５０００PPMから１００００PPMと、砂漠の表層（１０）の表面上から散水をすれば、するほどに、塩分濃度が高くなることが、砂漠に於いて植物である穀物、果樹、野菜、及び樹木が生育、及び生長をすることが出来ないことが、最大の理由である。また、地球上で、最も塩分に強い植物としては、ナツメヤシである。このナツメヤシは、塩分濃度が１０００PPMの砂漠でも生育、及び生長をすることが出来る。さらに薩摩芋は８００PPMから１０００PPM程度でも十分に生育、及び生長をすることが出来る。この砂漠の表層（１０）の砂（４）が含有をしている塩分濃度が１０００PPMである。この砂漠の砂（４）が含有をしている塩分濃度が１０００PPM以上にならないようにするのには、砂漠の表層（１０）の表面上から散水をしなければ、砂漠の表層（１０）の表面上の砂（４）が含有をしている塩分濃度は１０００PPMを維持することになる。この問題を解決する手段として、下記に説明をしている、桶形状物体（１）、又は発泡スチロール製箱（１）、又はポリ乳酸製発泡農業用箱（１）（以下、略して、桶形状物体（１）とする）を使用して、地下から水溶液を散水して、毛細管現象により砂漠の表層（１０）である、砂漠の表面上まで、水溶液を吸い上げさせると、桶形状物体（１）と砂漠の表層（１０）との中間に存在をしている砂漠の砂（４）だけとの関係となり、桶形状物体（１）を埋設をしている、例えば、砂漠の地下１ｍの地点に桶形状物体（１）を埋設して水溶液を散水するのであれば、砂漠の地下１ｍの地点に埋設をしている桶形状物体（１）よりも深い、砂漠の地下１ｍよりも深い、砂漠の砂（４）が含有をしている塩分が、砂漠の表層（１０）である、砂漠の表面上まで上昇をするのを、桶形状物体（１）を埋設している地点にて遮断をすることが出来ることを発明・発見した。この発明・発見により、砂漠の砂（４）が含有をしている塩分濃度が強い塩害を防止することが出来る農業技術を研究開発したことにより、極く近い将来、砂漠は穀倉地帯となる可能性を秘めている。下記にて桶形状物体（１）を埋設する目的、及び課題を説明する。
【０００７】
また、日中温度が摂氏５０度以上に上昇をして、砂漠の表層（１０）の表面温度が摂氏８０度前後に上昇をする砂漠に於いて栽培をしている穀物、果樹、野菜、及び樹木などの植物に、地中に水を遠い所に送る管である、塩化ビニール樹脂などで出来ている桶（１）、又は１箇所を縦方向に切断をしたパイプ（１）（以下、略して、桶、又は桶形状物体とする）を、地下１ｍ前後の地下のところに埋設をして、さらに、桶形状物体（１）の内部に、砂漠の砂（４）が流入をするのを防止する防止弁（３）を、先端に取り付けている散水管（２）を桶形状物体（１）の内部に設置をして、桶形状物体（１）の内部に散水管（２）を経由して水を散水して、桶形状物体（１）の内部に入っている砂（４）に給水をする構造とした、耕作地である畑の地下に桶形状物体（１）を埋設した構造とすることにより、砂漠の表面上から散水をするのとは異なり、桶形状物体（１）の内部に入っている砂（４）は、常時水分を含水している状態とすることが出来る。さらに、砂漠の砂（４）が含水をしている水分は、砂漠の表層（１０）の温度が摂氏８０度前後と高温で、湿度は０％前後の乾燥状態に乾燥をしているので、砂漠の砂（４）が含水している水分は、毛細管現象により、砂漠の表層（１０）の方向である、上の方向に、上の方向にと上昇をする。結果として、砂漠の地下、例えば、１ｍ前後の地下の散水管（２）を経由して散水をした水溶液の全量は、砂漠の表層（１０）に向って毛細管現象により上昇をすることを発明・発見をした。この砂漠の砂（４）が含水をしている水分が、砂漠の表層（１０）に上昇をするときに気化をすることにより、地中の温度を奪うので、地中の温度は、例えば、摂氏３５度前後に低下をすることになり、植物の生育、及び生長をするのに最適の温度条件となる。さらに、砂漠の砂（４）の内部の湿度を６０％以上、又は７０％以上（以下、略して、６５％以上とする）の湿度とすることにより、植物である、穀物、果樹、野菜、及び樹木などの植物は、砂漠の砂（４）が含水をしている、湿度が６５％以上ある砂漠の砂（４）が含水をしている水分を吸収して、植物は生育、及び生長をすることが出来ることになる。砂漠の砂（４）が含水をしている湿度が６５％以上になるように維持をすることを目的とすることにより、乾燥状態の砂漠でも、極く少ない水量を使用して植物である、穀物、果樹、野菜、及び樹木を生育させることが出来ることになる。
【０００８】
さらに、桶形状物体（１）を砂漠の地下１ｍ前後の地下のところに埋設をして、桶形状物体（１）の内部に散水管（２）を経由して水溶液を供給して植物である穀物、果樹、野菜、及び樹木などの植物を栽培すると、桶形状物体（１）を埋設している地下１ｍ前後の地点と、砂漠の表層（１０）との中間に存在をしている、砂漠の砂（４）が含有をしている塩分を植物である穀物、果樹、野菜、及び樹木が、年々塩分を吸収して蒸散作用にて蒸散をすることにより、桶形状物体（１）と砂漠の表層（１０）との中間に存在をしている、砂漠の砂（４）が含有をしている塩分濃度は年々低下をする。また、塩分濃度が高い砂漠の砂（４）を耕作地として薩摩芋、トマト、トウモロコシ、ニンジン、カボチャ、パイナップル、及びマンゴーなどの植物を栽培すると糖度が高くなる利点がある。
【０００９】
また、砂漠の砂（４）が含有をしている塩分の塩分濃度が高いために、砂漠に於いては、例えば、砂漠の砂（４）が含有をしている塩分濃度が１０００PPM前後と高濃度の塩分濃度なので、植物として生長、及び生育が出来るのは、せいぜいナツメヤシぐらいの植物しか栽培をすることが出来ないのが砂漠の表層（１０）の現状である。この砂漠の砂（４）が含有をしている塩分を、砂漠の砂（４）が含有をしている、砂漠の表層（１０）の表面上にて植物である穀物、果樹、野菜、及び樹木などの植物を栽培すると、植物は蒸散作用により、砂漠の地下から植物は塩分を、次から次に吸い上げて、砂漠の表層（１０）の表面上に塩分を蒸散作用にて撒き散らすので、砂漠の表層（１０）の表面上の塩分濃度は、植物を栽培すれば、するほどに、砂漠の表層（１０）の表面上の塩分濃度は、どんどんと高くなるがために、砂漠の表層（１０）の表面上では、植物を栽培することが出来ないことが砂漠の最大の欠点である。この砂漠の砂（４）が含有をしている塩分の影響を回避するために、発泡スチロール製箱（１）を砂漠の表層（１０）の表面上に敷き詰めて、砂漠の地下と植物などとを栽培している、砂漠の表層（１０）である耕作地（７）とを断絶させて、砂漠の表層（１０）の表面上に砂漠の地下から植物が蒸散作用にて塩分を吸い上げることが出来ない構造とした耕作地（７）を提供することを目的とする。この砂漠の地下から植物が蒸散作用により塩分を吸い上げることが出来ない構造の耕作地（７）を提供する目的にて、砂漠の表層（１０）の地下を掘り下げて、例えば、３０ｃｍから１ｍ前後の砂漠の地下を掘り下げて砂漠の地下に、高さが３０ｃｍで、縦巾が４５ｃｍで、横巾が４５ｃｍの発泡スチロール製箱（１）を直列、及び並列に並べて耕作地（７）を形成する目的にて、砂漠の地下の耕作地（７）とする面積の、全ての面積に発泡スチロール製箱（１）を並べて盛り土（１７）をして埋没をさせたあと、発泡スチロール製箱（１）の表面上に耕作地（７）を形成することを目的とする。
【００１０】
さらに、砂漠の砂（４）が含有をしている塩分の塩分濃度が高いために、砂漠に於いては、例えば、砂漠の砂（４）が含有をしている塩分濃度が１０００PPM前後と高濃度の塩分濃度なので、植物として生長、及び生育が出来るのは、せいぜいナツメヤシぐらいの植物しか栽培をすることが出来ないのが砂漠の表層（１０）の現状である。この砂漠の砂（４）が含有をしている塩分を、砂漠の砂（４）が含有をしている、砂漠の表層（１０）の表面上にて植物である穀物、果樹、野菜、及び樹木などの植物を栽培すると、植物は蒸散作用により、砂漠の地下から植物は塩分を、次から次に吸い上げて、砂漠の表層（１０）の表面上に塩分を蒸散作用にて撒き散らすので、砂漠の表層（１０）の表面上の塩分濃度は、植物を栽培すれば、するほどに、砂漠の表層（１０）の表面上の塩分濃度は、どんどんと高くなるがために、砂漠の表層（１０）の表面上では、植物を栽培することが出来ないことが砂漠の最大の欠点である。この砂漠の砂（４）が含有をしている塩分の影響を回避するために、発泡スチロール製箱（１）を砂漠の表層（１０）の表面上に敷き詰めて、砂漠の地下と植物などとを栽培している、砂漠の表層（１０）である耕作地（７）とを断絶させて、砂漠の表層（１０）の表面上に砂漠の地下から植物が蒸散作用にて塩分を吸い上げることが出来ない構造とした耕作地（７）を提供することを目的とする。この砂漠の地下から植物が蒸散作用により塩分を吸い上げることが出来ない構造の耕作地（７）を提供する目的にて、砂漠の表層（１０）の表面上を整地して、例えば、高さが３０ｃｍで、縦巾が４５ｃｍで、横巾が４５ｃｍの発泡スチロール製箱（１）を直列、及び並列に並べて耕作地（７）を形成する目的にて、砂漠の表層（１０）の表面上に耕作地（７）とする面積の、全ての面積に発泡スチロール製箱（１）を並べたあと、発泡スチロール製箱（１）の上部の部分に、例えば、高さが３０ｃｍから１ｍ前後の盛り土（１７）をして、発泡スチロール製箱（１）の表面上に耕作地（７）を形成することを目的とする。
【００１１】
また、地球上の陸地の、約２５％程度の面積が、不毛の大地の砂漠である。この不毛の大地の砂漠を緑化して、植物である穀物、果樹、野菜、及び樹木などを耕作することが出来る農耕地とすることにより、将来、地球上に於いて人口が増大をして食料不足となる事態を解消することを目的とする。
【発明の効果】
【００１２】
砂漠に於いて農作物を耕作する場合、散水をした水分を逃がさない構造の耕作地である畑の構造とすることが出来るならば、砂漠は容易に整地作業が出来て、大規模農地を造成することが出来る効果がある。
【００１３】
また、砂漠の地下２５ｃｍ前後の地下のところに、塩化ビニール樹脂などで出来ている桶形状物体（１）を埋設させて、桶形状物体（１）の内部に散水管（２）を経由して水を散水して、桶形状物体（１）の内部に入っている砂（４）に給水をする構造とすることにより、砂漠の表面上から散水をすると、瞬時に水分は蒸発をする。けれども、砂漠の地下２５ｃｍ前後の地下のところに設置をしている桶形状物体（１）の内部に散水管（２）を経由して散水を行なうのであるならば、散水をした水分は蒸発をして水分が逃げることがなくて、保水性があり、常時、砂漠の地下は水分を含有している状態となるので、植物である果樹、野菜、及び樹木などが砂漠でも生育をして生長をすることが出来る環境となる効果がある。
【００１４】
さらに、散水管（２）を使用して穀物、果樹、野菜、及び樹木などの植物が必要とする肥料、及び農薬を、水溶液の内部に溶解をさせた水溶液を、栽培をしている植物の根元まで、直接に肥料、及び農薬を散水管（２）を使用して散布をすることが出来るので、効率よく肥料、及び農薬を水溶液と一緒に散布をすることが出来る効果がある。
【００１５】
また、砂漠の地下３０ｃｍ前後の地下のところから地上にかけて、ダンボール箱（１）、又はポリ乳酸製発泡農業用箱（１）（以下、略して、ダンボール箱、又はポリ乳酸製発泡農業用箱箱とする）を埋設して、さらに、ダンボール箱（１）の内側の側面上に生分解性プラスチックを原材料として出来ているフィルム（５）を被せて、ダンボール箱（１）の内部に散水をした水溶液が溜まる構造とした、ダンボール箱（１）の内部に散水管（２）を設置している構造の耕作地にて穀物、果樹、野菜、及び樹木などの植物を耕作することにより、極く安いコストにて、ダンボール箱（１）の内部に散水管（２）を経由して散水をした水溶液が、ダンボール箱（１）の内部に溜めることが出来る構造とした耕作地を、不毛の大地の砂漠に形成をすることにより、不毛の大地にて穀物、果樹、野菜、及び樹木などの植物を栽培することが出来る効果がある。
【００１６】
さらに、砂漠の地下３０ｃｍ前後の地下のところから地上にかけて、ダンボール箱（１）、又はポリ乳酸製発泡農業用箱（１）（以下、略して、ダンボール箱、又はポリ乳酸製発泡農業用箱とする）を埋設して、さらに、ダンボール箱（１）の内側の側面上に生分解性プラスチックを原材料として出来ているフィルム（５）を被せて、ダンボール箱（１）の内部に散水をした水溶液が溜まる構造とした、ダンボール箱（１）の内部にて穀物、果樹、野菜、及び樹木などの植物を耕作することにより、極く安いコストにて、ダンボール箱（１）の内部に散水をした水溶液が、ダンボール箱（１）の内部に溜めることが出来る構造とした耕作地を、不毛の大地の砂漠に形成をすることにより、不毛の大地にて穀物、果樹、野菜、及び樹木などの植物を栽培することが出来る効果がある。
【００１７】
また、砂漠の地下３０ｃｍ前後の地下のところから地上にかけて、水溶液が漏れないような構造としたダンボール箱（１）、又は米国のカーギル社が開発をした、原材料が殻物由来のトウモロコシから出来ている、生分解性プラスチックを原材料として出来ているポリ乳酸製発泡農業用箱（１）、又はその他の原材料で出来ている、水溶液が漏れない構造とした容器（１）（以下、略して、ダンボール箱（１）、又はポリ乳酸製発泡農業用箱（１）とする）を、例えば、耕作地とする３０ｃｍ前後の地下のところから地上にかけて、ポリ乳酸製発泡農業用箱（１）を埋設して、埋設をしたポリ乳酸製発泡農業用箱（１）の内部に散水をした水溶液が溜まる構造とした、ポリ乳酸製発泡農業用箱（１）の内部にて穀物、果樹、野菜、及び樹木などの植物を耕作することにより、散水をした水溶液がポリ乳酸製農業用箱（１）の内部に溜まることが出来る構造とした耕作地を、不毛の大地の砂漠に形成をして植物を耕作することにより、不毛の大地にて穀物、果樹、野菜、及び樹木などの植物を栽培することが出来る効果がある。
【００１８】
さらに、米国のカーギル社が開発をした、原材料が殻物由来のトウモロコシから出来ている、生分解性プラスチックを原材料として出来ているポリ乳酸製発泡農業用箱（１）を耕作地に埋設をして、埋設をしたポリ乳酸製発泡農業用箱（１）の内部に散水をした水溶液が溜まる構造とした耕作地である、ポリ乳酸製発泡農業用箱（１）の内部にて穀物、果樹、野菜、及び樹木などの植物を耕作する、最大の利点は、植物などの耕作が終了をした耕作地を、トラクターを使用して土壌とポリ乳酸製発泡農業用箱（１）とを一緒に粉砕をして、トラクターを使用して土壌を掘り返して土を軟らかくして、土壌を耕すことが出来ることが、生分解性プラスチックを原料として出来ているポリ乳酸製発泡農業用箱（１）、及び生分解性プラスチックを原材料として出来ているフィルム（５）を、水溶液を地中に溜める目的にて使用して穀物、果樹、野菜、及び樹木などの植物を栽培することが出来る効果がある。
【００１９】
また、図１０、及び図１１に示しているのは、生分解性プラスチックを原材料として出来ている、例えば、仮称がポリ乳酸製発泡農業用箱（１）を使用して、ポリ乳酸製発泡農業用箱（１）の底面の部分に水溶液を溜めて穀物、果樹、野菜、及び樹木などの植物を栽培すると、植物の根が腐敗をする。この植物の根が腐敗をするのを防止する目的にて、図１０、及び図１１に示している、ポリ乳酸製発泡農業用箱（１）の側面上に穴（６）を形成して、この穴（６）を経由して、植物の根はポリ乳酸製発泡農業用箱（１）の外周を取り巻いている土壌の内部に進入をすることが出来るので、ポリ乳酸製発泡農業用箱（１）の側面上に穴（６）を形成することにより、植物の根の腐敗を防止することが出来る効果がある。
【００２０】
さらに、生分解性プラスチックの原材料は、土の中に存在をしている微生物が分解をすることが出来る、ポリ乳酸が原材料で出来ているので、上記にて説明をした、ポリ乳酸製発泡農業用箱（１）は土の中で微生物が分解をして、水と二酸化炭素を微生物は吐き出す。また、空気がないところで働く微生物の場合には、二酸化炭素とメタンガスなどを微生物は吐き出すので、ポリ乳酸製発泡農業用箱（１）を使用して穀物、果樹、野菜、及び樹木などの植物を耕作したあとの、地中に残っているポリ乳酸製発泡農業用箱（１）の処分方法としては、トラクターを使用して耕作地である土壌と一緒に粉砕をして、トラクターを使用して土壌を掘り返して土壌を軟らかくすることが出来る効果がある。
【００２１】
また、砂漠を緑化する目的のために、上記にて説明をした、原材料は異なるけれども、発泡スチロールの原材料はポリスチレンで出来ている、発泡スチロールと全く同様の、ポリ乳酸が原材料で出来ている、発泡スチロール製の容器の製造方法と全く同様の製造方法にて製造をした、ポリ乳酸製発泡農業用箱（１）を耕作地に、例えば、深さが３０ｃｍで、横巾が５０ｃｍの溝を耕作地である畑に、畝を形成する直下に、深さが３０ｃｍで、横巾が５０ｃｍの溝を形成して、畝の真下の部分に当たるところに形成をしている溝の内部に、例えば、高さが３０ｃｍで、横巾が５０ｃｍで、長さが１ｍで、肉厚が２ｃｍの、ポリ乳酸性発泡農業用箱（１）を、畝の真下に当たるところの部分に、ポリ乳酸製発泡農業用箱（１）を畝の真下部分に畝に対して平行に埋設をして、埋設をしたポリ乳酸製発泡農業用箱（１）の内部に散水をした水溶液を溜めることが出来る構成とする。これにより溜池の効果と同様の効果となる。この溜池の効果と同様の効果を目的とする、ポリ乳酸製発泡農業用箱（１）の内部に溜めている水溶液を使用して穀物、果樹、野菜、及び樹木などの植物を栽培することになるので、極く簡単な構造であり、極く安価であり、作業性がよくて、環境に優しくて、環境に負荷をかけない、ポリ乳酸製発泡農業用箱（１）を使用することにより、ポリ乳酸製発泡農業用箱（１）を使用して、極く簡便に砂漠を緑化することが出来る効果がある。
【００２２】
さらに、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水をして、桶形状物体（１）の内部に堆積をしている砂漠の砂（４）が含水をしている水分は毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来る効果がある。
【００２３】
また、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、散水管（２）を経由して砂漠の砂（４）に水溶液を含水させる。さらに、砂が流入をするのを防止する防止弁（３）を経由して砂漠の砂（４）に水溶液を含水させることにより、砂漠の地表と散水管（２）との中間に存在をしている、砂漠の砂（４）が含水をしている水分は、植物である穀物、果樹、野菜、及び樹木などの植物を栽培、生育、及び生長をさせるのに充分な水分を植物に供給をすることが出来る効果がある。
【００２４】
さらに、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、さらに、砂（４）が流入をするのを防止する防止弁（３）を経由して給水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態である。この砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水管（２）を経由して給水をさせて、さらに、砂（４）が流入をするのを防止する防止弁（３）を経由した水溶液は、桶形状物体（１）の内部に堆積をしている、砂漠の砂（４）が含水をする。この砂漠の砂（４）に含水をさせた水溶液は、毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来る効果がある。
【００２５】
また、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、さらに、砂（４）が流入をするのを防止する防止弁（３）を経由して給水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態である。この砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水管（２）を経由して給水をさせて、さらに、砂（４）が流入をするのを防止する防止弁（３）を経由した水溶液は、桶形状物体（１）の内部に堆積をしている、砂漠の砂（４）が含水をする。この砂漠の砂（４）に含水をさせた水溶液は、毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来る効果がある。
【００２６】
さらに、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水をして、ポリ乳酸製発泡農業用箱（１）の内部に堆積をしている砂漠の砂（４）が含水をしている水分は毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来る効果がある。
【００２７】
また、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、砂（４）が流入をするのを防止する防止弁（３）を経由して給水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に、地表から散水管（２）を経由した水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水管（２）を経由して給水をさせて、さらに、砂（４）が流入をするのを防止する防止弁（３）を経由した水溶液は、ポリ乳酸製発泡農業用箱（１）の内部に堆積をしている砂漠の砂（４）が含水をする。この砂漠の砂が含水をしている水溶液は、毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来る効果がある。
【００２８】
さらに、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、砂（４）が流入をするのを防止する防止弁（３）を経由して給水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に、地表から散水管（２）を経由した水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水管（２）を経由して給水をさせて、さらに、砂（４）が流入をするのを防止する防止弁（３）を経由した水溶液は、ポリ乳酸製発泡農業用箱（１）の内部に堆積をしている砂漠の砂（４）が含水をする。この砂漠の砂が含水をしている水溶液は、毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来る効果がある。
【００２９】
また、例えば、砂漠の地下１ｍ前後のところに、直径が３０ｃｍ前後の桶形状物体（１）を埋設して、埋設をしている桶形状物体（１）の凹形状をした内部に水溶液をバルブ（８）を経由して水溶液を流すことにより、人工的に砂漠の地下１ｍ前後のところに、人口の水路、又は水脈（以下、略して、水脈とする）を形成することになる。砂漠の表面上から散水をした場合には、水溶液は瞬時に蒸発をする、けれども、図１９に示している、バルブ（８）を経由して、砂漠の地下１ｍ前後のところに水溶液を注水するのであれば、水溶液は蒸発をすることもないので、砂漠の地下１ｍ前後のところの、砂漠の砂に水溶液を供給することが出来ることになる。この砂漠の地下１ｍ前後の砂漠の砂が含水をした水溶液は、砂漠の表面上の温度が摂氏８０度前後と高くて、乾燥をしているので、砂漠の地下１ｍ前後の深さのところに埋設をしている、桶形状物体（１）の内部に流している水溶液は、毛細管現象により上の方向である砂漠の表層に上昇をする。この桶形状物体（１）の内部に流している水溶液が毛細管現象により、砂漠の表層に水溶液が上昇をするときに、水分は気化をして、砂漠の地中の高温状態の地中の温度を奪うことになる。この砂漠の表層の温度が摂氏８０度前後まで上昇をしていても、砂漠の地中温度は摂氏３５度前後の温度を維持することになる。この上記にて説明をした、砂漠の地下１ｍ前後のところに、極く少量の水溶液を流すことにより、砂漠の地中の温度を低下させて、砂漠の地下に水分を供給することになる。このことにより、砂漠といえども、植物である穀物、果樹、野菜、及び樹木などを栽培するのに、最適の土地となることを発明・発見をした。これにより、トウモロコシ、薩摩芋、ニンジン、ダイコン、白菜、キャベツ、トマト、ブドウ、山芋、パイナップル、ラッキョ、ニンニク、玉ネギ、ゴボウ、及びユーカリなどを栽培することが出来ることになる効果がある。
【００３０】
さらに、例えば、砂漠の地下１ｍ前後のところに、直径が３０ｃｍ前後の桶形状物体（１）を埋設して、埋設をしている桶形状物体（１）の凹形状をした内部に水溶液をバルブ（８）を経由して水溶液を流すことにより、人工的に砂漠の地下１ｍ前後のところに、人口の水路、又は水脈（以下、略して、水脈とする）を形成することになる。砂漠の表面上から散水をした場合には、水溶液は瞬時に蒸発をする、けれども、図２０に示している、バルブ（８）を経由して、砂漠の地下１ｍ前後のところに水溶液を注水するのであれば、水溶液は蒸発をすることもないので、砂漠の地下１ｍ前後のところの、砂漠の砂に水溶液を供給することが出来ることになる。この砂漠の地下１ｍ前後の砂漠の砂が含水をした水溶液は、砂漠の表面上の温度が摂氏８０度前後と高くて、乾燥をしているので、砂漠の地下１ｍ前後の深さのところに埋設をしている、桶形状物体（１）の内部に流している水溶液は、毛細管現象により上の方向である砂漠の表層に上昇をする。この桶形状物体（１）の内部に流している水溶液が毛細管現象により、砂漠の表層に水溶液が上昇をするときに、水分は気化をして、砂漠の地中の高温状態の地中の温度を奪うことになる。この砂漠の表層の温度が摂氏８０度前後まで上昇をしていても、砂漠の地中温度は摂氏３５度前後の温度を維持することになる。この上記にて説明をした、砂漠の地下１ｍ前後のところに、極く少量の水溶液を流すことにより、砂漠の地中の温度を低下させて、砂漠の地下に水分を供給することになる。このことにより、砂漠といえども、植物である穀物、果樹、野菜、及び樹木などを栽培するのに、最適の土地となることを発明・発見をした。これにより、スイカ、トウモロコシ、薩摩芋、ニンジン、ダイコン、白菜、キャベツ、トマト、ブドウ、山芋、パイナップル、ラッキョ、ニンニク、玉ネギ、ゴボウ、及びユーカリなどを栽培することが出来ることになる効果がある。
【００３１】
また、砂漠で稲作を可能とする目的にて、砂漠の表面上に平面状態に整地をしたあとの、砂漠の表層（１０）の表面上に畝（１１）を形成したあとの、畝（１１）の表面上に、ポリエチレンで出来ているフィルム（１２）、又は紙製黒色マルチ（１２）、又は生分解性プラスチックで出来ているグリーンプラマルチフィルム（１２）、又はその他のフィルム（１２）（以下、略して、フィルム１２とする）を使用して、畝（１１）の表面上を覆ったあとの、畝（１１）の表面上を覆っているフィルム（１２）の表面上に桶形状物体（１）を設置して、さらに、桶形状物体（１）の内部に散水管（２）を配管したあと、桶形状物体（１）の表面上に、例えば、砂漠の砂（４）を桶形状物体（１）の表面上に、高さが３０ｃｍ前後の盛り砂（４）をして、桶形状物体（１）と、フィルム（１２）、及び散水管（２）を埋設して、バルブ（９）、及び散水管（２）を経由して桶形状物体（１）の内部に水溶液を散水して植物である穀物、果樹、野菜、及び樹木などの植物を栽培、生育、及び生長をさせるのに必要な水溶液が、砂漠の地下に漏水をして逃げないように、砂漠の地下３０ｃｍ前後のところにフィルム（１２）を使用して耕作地（１３）の全面積を覆って、散水管（２）を経由して散水をした水溶液が砂漠の地下に漏れて漏水をさせない構成とすると、同時に、防水壁（１４）を耕作地（１３）の外周の側壁に形成をして、耕作地（１３）の内部に水溶液を満水状態に注水をした、稲作を可能とすることを目的とした、砂漠の水田にて稲作を行なうことが出来る効果がある。
【００３２】
さらに、砂漠に於いて植物である穀物、果樹、野菜、及び樹木が生育、及び生長をすることが出来ない、最大の理由は、砂漠の砂（４）が含有をしている塩分の塩分濃度が、約１０００PPMある。人体の塩分濃度は３００PPM程度である。この砂漠の砂（４）が含有をしている塩分濃度は、例えば、砂漠の地下が１ｍよりも、地下が２ｍのほうが塩分濃度は高い。さらに、地下が２ｍよりも、地下が３ｍのほうが、より一段と塩分濃度は高いのが砂漠時有の現象である。この塩分濃度が高い砂漠の砂（４）に、砂漠の表層（１０）の表面上から水溶液を散水すると、砂漠の砂（４）が含有をしている塩分が、砂漠の表層（１０）から散水をすれば、するほど、蒸散作用、又は蒸発作用（以下、略して、蒸散作用とする）の現象により、砂漠の表層（１０）である、砂漠の表面上には、砂漠の地下から塩分が上昇をして、砂漠の表層（１０）である、砂漠の表面上には、例えば、塩分濃度が５０００PPMから１００００PPMと、砂漠の表層（１０）の表面上から散水をすれば、するほどに、塩分濃度が高くなることが、砂漠に於いて植物である穀物、果樹、野菜、及び樹木が生育、及び生長をすることが出来ないことが、最大の理由である。また、地球上で、最も塩分に強い植物としては、ナツメヤシである。このナツメヤシは、塩分濃度が１０００PPMの砂漠でも生育、及び生長をすることが出来る。さらに薩摩芋は８００PPMから１０００PPM程度でも十分に生育、及び生長をすることが出来る。この砂漠の表層（１０）の砂（４）が含有をしている塩分濃度が１０００PPMである。この砂漠の砂（４）が含有をしている塩分濃度が１０００PPM以上にならないようにするのには、砂漠の表層（１０）の表面上から散水をしなければ、砂漠の表層（１０）の表面上の砂（４）が含有をしている塩分濃度は１０００PPMを維持することになる。この問題を解決する手段として、下記に説明をしている、桶形状物体（１）、又は発泡スチロール製箱（１）、又はポリ乳酸製発泡農業用箱（１）（以下、略して、桶形状物体（１）とする）を使用して、地下から水溶液を散水して、毛細管現象により砂漠の表層（１０）である、砂漠の表面上まで、水溶液を吸い上げさせると、桶形状物体（１）と砂漠の表層（１０）との中間に存在をしている砂漠の砂（４）だけとの関係となり、桶形状物体（１）を埋設をしている、例えば、砂漠の地下１ｍの地点に桶形状物体（１）を埋設して水溶液を散水するのであれば、砂漠の地下１ｍの地点に埋設をしている桶形状物体（１）よりも深い、砂漠の地下１ｍよりも深い、砂漠の砂（４）が含有をしている塩分が、砂漠の表層（１０）である、砂漠の表面上まで上昇をするのを、桶形状物体（１）を埋設している地点にて遮断をすることが出来ることを発明・発見した。この発明・発見により、砂漠の砂（４）が含有をしている塩分濃度が強い塩害を防止することが出来る農業技術を研究開発したことにより、極く近い将来、砂漠は穀倉地帯となる可能性を秘めている効果がある。
【００３３】
また、桶形状物体（１）を砂漠の地下１ｍ前後の地下のところに埋設をして、桶形状物体（１）の内部に散水管（２）を経由して水溶液を供給して植物である穀物、果樹、野菜、及び樹木などの植物を栽培すると、桶形状物体（１）を埋設している地下１ｍ前後の地点と、砂漠の表層（１０）との中間に存在をしている、砂漠の砂（４）が含有をしている塩分を植物である穀物、果樹、野菜、及び樹木が、年々塩分を吸収して蒸散作用にて蒸散をすることにより、桶形状物体（１）と砂漠の表層（１０）との中間に存在をしている、砂漠の砂（４）が含有をしている塩分濃度は年々低下をする。また、塩分濃度が高い砂漠の砂（４）を耕作地として薩摩芋、トマト、トウモロコシ、ニンジン、カボチャ、パイナップル、及びマンゴーなどの植物を栽培すると糖度が高くなる効果がある。
【００３４】
さらに、砂漠の砂（４）が含有をしている塩分の塩分濃度が高いために、砂漠に於いては、例えば、砂漠の砂（４）が含有をしている塩分濃度が１０００PPM前後と高濃度の塩分濃度なので、植物として生長、及び生育が出来るのは、せいぜいナツメヤシぐらいの植物しか栽培をすることが出来ないのが砂漠の表層（１０）の現状である。この砂漠の砂（４）が含有をしている塩分を、砂漠の砂（４）が含有をしている、砂漠の表層（１０）の表面上にて植物である穀物、果樹、野菜、及び樹木などの植物を栽培すると、植物は蒸散作用により、砂漠の地下から植物は塩分を、次から次に吸い上げて、砂漠の表層（１０）の表面上に塩分を蒸散作用にて撒き散らすので、砂漠の表層（１０）の表面上の塩分濃度は、植物を栽培すれば、するほどに、砂漠の表層（１０）の表面上の塩分濃度は、どんどんと高くなるがために、砂漠の表層（１０）の表面上では、植物を栽培することが出来ないことが砂漠の最大の欠点である。この砂漠の砂（４）が含有をしている塩分の影響を回避するために、発泡スチロール製箱（１）を砂漠の表層（１０）の表面上に敷き詰めて、砂漠の地下と植物などとを栽培している、砂漠の表層（１０）である耕作地（７）とを断絶させて、砂漠の表層（１０）の表面上に砂漠の地下から植物が蒸散作用にて塩分を吸い上げることが出来ない構造とした耕作地（７）を提供することを目的とする。この砂漠の地下から植物が蒸散作用により塩分を吸い上げることが出来ない構造の耕作地（７）を提供する目的にて、砂漠の表層（１０）の地下を掘り下げて、例えば、３０ｃｍから１ｍ前後の砂漠の地下を掘り下げて砂漠の地下に、高さが３０ｃｍで、縦巾が４５ｃｍで、横巾が４５ｃｍの発泡スチロール製箱（１）を直列、及び並列に並べて耕作地（７）を形成する目的にて、砂漠の地下の耕作地（７）とする面積の、全ての面積に発泡スチロール製箱（１）を並べて盛り土（１７）をして埋没をさせたあと、発泡スチロール製箱（１）の表面上に耕作地（７）を形成することが出来る効果がある。
【００３５】
また、砂漠の砂（４）が含有をしている塩分の塩分濃度が高いために、砂漠に於いては、例えば、砂漠の砂（４）が含有をしている塩分濃度が１０００PPM前後と高濃度の塩分濃度なので、植物として生長、及び生育が出来るのは、せいぜいナツメヤシぐらいの植物しか栽培をすることが出来ないのが砂漠の表層（１０）の現状である。この砂漠の砂（４）が含有をしている塩分を、砂漠の砂（４）が含有をしている、砂漠の表層（１０）の表面上にて植物である穀物、果樹、野菜、及び樹木などの植物を栽培すると、植物は蒸散作用により、砂漠の地下から植物は塩分を、次から次に吸い上げて、砂漠の表層（１０）の表面上に塩分を蒸散作用にて撒き散らすので、砂漠の表層（１０）の表面上の塩分濃度は、植物を栽培すれば、するほどに、砂漠の表層（１０）の表面上の塩分濃度は、どんどんと高くなるがために、砂漠の表層（１０）の表面上では、植物を栽培することが出来ないことが砂漠の最大の欠点である。この砂漠の砂（４）が含有をしている塩分の影響を回避するために、発泡スチロール製箱（１）を砂漠の表層（１０）の表面上に敷き詰めて、砂漠の地下と植物などとを栽培している、砂漠の表層（１０）である耕作地（７）とを断絶させて、砂漠の表層（１０）の表面上に砂漠の地下から植物が蒸散作用にて塩分を吸い上げることが出来ない構造とした耕作地（７）を提供することを目的とする。この砂漠の地下から植物が蒸散作用により塩分を吸い上げることが出来ない構造の耕作地（７）を提供する目的にて、砂漠の表層（１０）の表面上を整地して、例えば、高さが３０ｃｍで、縦巾が４５ｃｍで、横巾が４５ｃｍの発泡スチロール製箱（１）を直列、及び並列に並べて耕作地（７）を形成する目的にて、砂漠の表層（１０）の表面上に耕作地（７）とする面積の、全ての面積に発泡スチロール製箱（１）を並べたあと、発泡スチロール製箱（１）の上部の部分に、例えば、高さが３０ｃｍから１ｍ前後の盛り土（１７）をして、発泡スチロール製箱（１）の表面上に耕作地（７）を形成することが出来る効果がある。
【００３６】
さらに、図２７、図２８、図２９、及び図３０にて説明をした、高さが３０ｃｍで、縦巾が４５ｃｍで、横巾が４５ｃｍの発泡スチロール製箱（１）、又はポリ乳酸製発泡農業用箱（１）、又は耐水性ダンボール箱（１）（以下、略して、発泡スチロール製箱（１）とする）を耕作地（７）の地中に敷き詰めると、例えば、１坪は１．８ｍ×１．８ｍなので、１坪当り発泡スチロール製箱（１）が縦に４個、横に４個で、１坪当り発泡スチロール製箱（１）が１６個必要となる。耕作地（７）の畑である、１反は３００坪なので、１反当りの発泡スチロール製箱（１）の必要な箱数は、４８００個である。また、発泡スチロール製箱（１）の容積は、高さが３０ｃｍで、縦巾が４５ｃｍで、横巾が４５ｃｍなので、３０×４５×４５＝６０．７５ｍ３となる。発泡スチロール製箱（１）の内容積が、約６０．７５ｍ３なので、この発泡スチロール製箱（１）の内部には、約６０．７５Liter（リッター）の水溶液を入れることが出来ることになるので、１反当りに換算をすると、１反当り発泡スチロール製箱（１）を４８００個、敷き詰めることが出来るので、１反当り約６０．７５Liter（リッター）の４８００倍の水溶液の水量となる。約６０．７５Liter（リッター）の水溶液の４８００倍は、約２８８トンとなる。ということは、砂漠の耕作地（７）の地下には、１反当りの面積で、約２８８トンの水溶液を溜めることが出来ることになる。さらに、例えば、発泡スチロール製箱（１）の高さを３０ｃｍから６０ｃｍの、２倍の高さにすると、発泡スチロール製箱（１）の容積は高さが６０ｃｍで、縦が４５ｃｍで、横が４５ｃｍなので、発泡スチロール製箱（１）の容積は、約１２１．５ｍ３となるので、上記にて説明をした、約２８８トンの、２倍の膨大な水量の５７６トンの水溶液を、砂漠の耕作地（７）の地下に溜めることが出来ることになるので、結果として、砂漠の耕作地（７）の地下に、一反当り約５７６トンの溜池を形成することになるので、砂漠に於いて植物である穀物、果樹、野菜、及び樹木などの植物を生育、及び生長をさせるのに必要な水溶液を、砂漠の耕作地（７）とする畑に与える、水溶液である水分は十分に確保をすることが出来る効果がある。
【００３７】
また、福島県にある、原子力発電所の事故により、周辺地域の運動場、又は水田、畑、耕作地などの土壌が、セシウムなどの放射性物質に汚染をされて、人体、及び植物を栽培するのに、人体、及び植物に影響を与える、放射線量を上回っている、運動場、又は耕作地の地域が広い範囲の地域にて発生をしている。この放射能、又は放射線（以下、略して、放射能とする）例えば、セシウム、プルトニウム、又はその他の放射性物質（以下、略して、セシウムとする）である、セシウムに汚染をされた、運動場、水田、畑、及びその他の土壌（以下、略して、運動場、又は耕作地、又は土壌とする）が、セシウムなどの放射性物質に汚染をされた運動場、又は耕作地の、放射性物質の放射線量を低下させて、人体に影響を与えない、安全な運動場、又は安全な植物を育成させて成長をさせることが出来る耕作地を提供することを目的とする。この目的を達成するために、セシウムなどの放射能を効率よく吸収をすることが出来る、活性炭、又はゼオライトなどを混入して成型をした、発泡スチロール製板（１）、又は発泡スチロール製箱（１）を使用して、セシウムなどの放射能を除去する目的のために、放射能に汚染をされている地下に、例えば、発泡スチロールで出来ている、厚さが、３ｃｍ、又は５ｃｍ、又は１０ｃｍ前後の、縦×横が、４５ｃｍ×４５ｃｍ、又は１ｍ前後の、ヤシ殻活性炭、又はバカス活性炭、又はカーボンブラック、又はケッチェンブラック、又はカーボンナノチューブ、又はグラフェン、又はゼオライト（以下、略して、活性炭、又はゼオライトとする）を、発泡スチロールを成型する原材料の内部に混入して混合をして、活性炭、又はゼオライトを、発泡スチロールの原材料の内部に混入した原材料を使用して成型をした、発泡スチロールで出来ている、発泡スチロール製板のカット板（１）、又は発泡スチロール製箱（１）を直列、及び並列に並べたあと、発泡スチロール製箱（１）の上から、放射能に汚染をされていない土壌（４）を盛り土して、発泡スチロール製箱（１）を埋没させている盛り砂、又は盛り土（以下、略して、盛り土とする）を使用して、運動場、又は耕作地などが含有をしている、セシウムなどの放射能を除去することを目的とする。
この放射能に汚染をされた運動場（１９）、又は耕作地（１９）が含有をしている、セシウムなどの放射性物質を、運動場（１９）、又は耕作地（１９）の表面上にて植物である穀物、果樹、野菜、及び樹木などの植物を栽培すると、植物は蒸散作用により、放射能に汚染をされた地下から植物は、セシウムなどの放射性物質を、次から次にと吸い上げて、運動場（１９）、又は耕作地（１９）の表面上にセシウムなどの放射性物質を蒸散作用にて撒き散らすので、放射能に汚染をされた耕作地（１９）の表面上の、セシウムなどの放射性物質の放射線量の数値は、植物を栽培すれば、するほどに、運動場（１９）、又は耕作地（１９）の表面上のセシウムなどの放射性物質の濃度は、どんどんと高くなる。この問題を回避するために、運動場（１９）、又は耕作地（１９）の地下に発泡スチロール製箱（１）を敷き詰めて、耕作地（１９）の表層と、植物などとを栽培している地下とを断絶させて、運動場（１９）、又は耕作地（１９）の表面上に運動場（１９）、又は耕作地（１９）の地下から、植物が蒸散作用にて、セシウムなどの放射性物質を蒸散作用にて、運動場（１９）、又は耕作地（１９）の表面上に吸い上げることが出来ない構造とした運動場（１９）、又は耕作地（１９）を提供することを目的とする。この運動場（１９）、又は耕作地（１９）の地下から、植物の蒸散作用により、セシウムなどの放射性物質を吸い上げることが出来ない構造の耕作地（１９）を提供する目的にて、例えば、運動場（１９）、又は耕作地（１９）の地下、３０ｃｍから５０ｃｍの、地下を掘り下げて、運動場（１９）、又は耕作地（１９）の地下に、発泡スチロールで出来ている、厚さが、３ｃｍ、又は５ｃｍ、又は１０ｃｍ前後の、縦×横が、４５ｃｍ×４５ｃｍ、又は１ｍ×１ｍ前後の、発泡スチロールで出来ている、発泡スチロール製板のカット板（１）、又は高さが、１０ｃｍ、又は３０ｃｍで、縦巾が４５ｃｍで、横巾が４５ｃｍの発泡スチロール製箱（１）を直列、及び並列に並べて運動場（１９）、又は耕作地（１９）を形成して、発泡スチロール製箱（１）と、植物などを栽培する、運動場（１９）、又は耕作地（１９）の表面上と、発泡スチロール製箱（１）との中間だけで水溶液を循環させる構成とするために、運動場（１９）、又は耕作地（１９）の地下の、全ての面積に発泡スチロール製箱（１）を直列、及び並列に並べて盛り土（２０）をして、発泡スチロール製箱（１）を埋設させたあと、発泡スチロール製箱（１）の表面上に運動場（１９）、又は耕作地（１９）を形成している発泡スチロール製箱（１）を使用して、放射能の影響を除去した運動場、耕作地、及び土壌改良を行なうことが出来る効果がある。
【００３８】
さらに、福島県にある、原子力発電所の事故により、周辺地域の運動場、又は水田、畑、耕作地などの土壌が、セシウムなどの放射性物質に汚染をされて、人体、及び植物を栽培するのに、人体、及び植物に影響を与える、放射線量を上回っている、運動場、又は耕作地の地域が広い範囲の地域にて発生をしている。この放射能、又は放射線（以下、略して、放射能とする）例えば、セシウム、プルトニウム、又はその他の放射性物質（以下、略して、セシウムとする）である、セシウムに汚染をされた、運動場、水田、畑、及びその他の土壌（以下、略して、運動場、又は耕作地、又は土壌とする）が、セシウムなどの放射性物質に汚染をされた耕作地の、放射性物質の放射線量を低下させて、人体に影響を与えない、安全な運動場、又は安全な植物を育成させて成長をさせることが出来る耕作地を提供することを目的とする。
この放射能に汚染をされた運動場（１９）、又は耕作地（１９）が含有をしている、セシウムなどの放射性物質を、運動場（１９）、又は耕作地（１９）の表面上にて植物である穀物、果樹、野菜、及び樹木などの植物を栽培すると、植物は蒸散作用により、放射能に汚染をされた地下から植物は、セシウムなどの放射性物質を、次から次にと吸い上げて、運動場（１９）、又は耕作地（１９）の表面上にセシウムなどの放射性物質を蒸散作用にて撒き散らすので、放射能に汚染をされた運動場（１９）、又は耕作地（１９）の表面上の、セシウムなどの放射性物質の放射線量の数値は、植物を栽培すれば、するほどに、運動場（１９）、又は耕作地（１９）の表面上のセシウムなどの放射性物質の濃度は、どんどんと高くなる。この問題を回避するために、運動場（１９）、又は耕作地（１９）の地下に発泡スチロール製箱（１）を敷き詰めて、運動場（１９）、又は耕作地（１９）の表層と、植物などとを栽培している地下とを断絶させて、運動場（１９）、又は耕作地（１９）の表面上に耕作地（１９）の地下から、植物が蒸散作用にて、セシウムなどの放射性物質を蒸散作用にて、運動場（１９）、又は耕作地（１９）の表面上に吸い上げることが出来ない構造とした運動場（１９）、又は耕作地（１９）を提供することを目的とする。この運動場（１９）、又は耕作地（１９）の地下から、植物の蒸散作用により、セシウムなどの放射性物質を吸い上げることが出来ない構造の運動場（１９）、又は耕作地（１９）を提供する目的にて、例えば、放射能に汚染をされた運動場（１９）、又は耕作地（１９）の表面上を整地して、例えば、発泡スチロールで出来ている、厚さが、３ｃｍ、又は５ｃｍ、又は１０ｃｍ前後の、縦×横が、４５ｃｍ×４５ｃｍ、又は１ｍ×１ｍ前後の、発泡スチロールで出来ている、発泡スチロール製板のカット板（１）、又は高さが、３０ｃｍで、縦巾が４５ｃｍで、横巾が４５ｃｍの発泡スチロール製箱（１）を直列、及び並列に並べて、放射能に汚染をさせていない土壌（４）を使用して、運動場（１９）、又は耕作地（１９）を形成する目的にて、放射能に汚染をされている運動場（１９）、又は耕作地（１９）の、全ての面積に発泡スチロール製箱（１）を並べたあと、発泡スチロール製箱（１）の上部の部分に、例えば、高さが１０ｃｍ、又は３０ｃｍから１ｍ前後の盛り土（２０）をして、発泡スチロール製箱（１）の表面上に運動場（１９）、又は耕作地（１９）を形成して、放射能の影響を除去した運動場、耕作地、及び土壌改良を行なうことが出来る効果がある。
【図面の簡単な説明】
【００３９】
【図１】図１に示しているのは、砂漠の地下３０ｃｍ前後の地下のところに桶形状物体（１）の内部に散水管（２）を設置している構造の耕作地にて穀物、果樹、野菜、及び樹木などの植物を耕作している縦断面図を、図１に示している。
【図２】図２に示しているのは、砂漠の地下３０ｃｍ前後の地下のところに桶形状物体（１）の内部に散水管（２）を設置している構造の耕作地にて穀物、果樹、野菜、及び樹木などの植物を耕作している縦断面図を、図２に示している。
【図３】図３に示しているのは、砂漠の地下３０ｃｍ前後の地下のところに桶形状物体（１）の内部に散水管（２）を設置している構造の耕作地にて穀物、果樹、野菜、及び樹木などの植物を耕作している縦断面図を、図３に示している。
【図４】図４に示しているのは、砂漠の地下３０ｃｍ前後の地下のところに桶形状物体（１）の内部に散水管（２）を設置している構造の耕作地にて果樹、野菜、及び樹木などの植物を耕作している縦断面図を、図４に示している。
【図５】図５に示しているのは、砂漠の地下３０ｃｍ前後の地下のところから地上にかけて、ダンボール箱（１）、又はポリ乳酸製発泡農業用箱（１）（以下、略して、ダンボール箱、又はポリ乳酸製発泡農業用箱とする）を埋設して、さらに、ダンボール箱（１）の内部に散水管（２）を設置している構造の耕作地にて穀物、果樹、野菜、及び樹木などの植物を耕作している縦断面図を、図５に示している。符号の説明、図中５はフィルムである。
【図６】図６に示しているのは、砂漠の地下３０ｃｍ前後の地下のところから地上にかけて、ダンボール箱（１）、又はポリ乳酸製発泡農業用箱（１）（以下、略して、ダンボール箱、又はポリ乳酸製発泡農業用箱とする）を埋設して、さらに、ダンボール箱（１）の内部に散水管（２）を設置している構造の耕作地にて穀物、果樹、野菜、及び樹木などの植物を耕作している縦断面図を、図６に示している。符号の説明、図中５は生分解性プラスチックを原材料として出来ているフィルムである。
【図７】図７に示しているのは、砂漠の地下３０ｃｍ前後の地下のところに桶形状物体（１）の内部に散水管（２）を設置している構造の耕作地にて穀物、果樹、野菜、及び樹木などの植物を耕作している横断面図を、図７に示している。
【図８】図８に示しているのは、砂漠の地下３０ｃｍ前後の地下のところに桶形状物体（１）の内部に散水管（２）を設置している構造の耕作地にて果樹、野菜、及び樹木などの植物を耕作している横断面図を、図８に示している。
【図９】図９に示しているのは、砂漠の地下３０ｃｍ前後の地下のところから地上にかけて、ダンボール箱（１）、又はポリ乳酸製発泡農業用箱（１）（以下、略して、ダンボール箱、又はポリ乳酸製発泡農業用箱とする）を埋設している構造の耕作地にて穀物、果樹、野菜、及び樹木などの植物を耕作している縦断面図を、図９に示している。符号の説明、図中５はフィルムである。
【図１０】図１０に示しているのは、図９に示している、ポリ乳酸製発泡農業用箱（１）の、４箇所の側面上に４角形状、又は円形形状、又はその他の形状をした穴（６）を形成した縦断面図を、図１０に示している。
【図１１】図１１に示しているのは、図１０に示している、ポリ乳酸製発泡農業用箱（１）の、ａ、及びb方向からの側面上を示している側面図を、図１１に示している。
【図１２】図１２に示しているのは、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水をして、桶形状物体（１）の内部に堆積をしている砂漠の砂（４）が含水をしている水分は毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを発明・発見をした。
【図１３】図１３に示しているのは、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、散水管（２）を経由して砂漠の砂（４）に水溶液を含水させる。さらに、砂が流入をするのを防止する防止弁（３）を経由して砂漠の砂（４）に水溶液を含水させることにより、砂漠の地表と散水管（２）との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを発明・発見をした。図１３に示しているのは、地中に埋設をしている桶形状物体（１）と、砂漠の砂（４）との中間に存在をしている、砂漠の砂（４）が含水をしている砂（８）を示している縦断面図を、図１３に示している。
【図１４】図１４に示しているのは、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、さらに、砂（４）が流入をするのを防止する防止弁（３）を経由して給水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態である。この砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水管（２）を経由して給水をさせて、さらに、砂（４）が流入をするのを防止する防止弁（３）を経由した水溶液は、桶形状物体（１）の内部に堆積をしている、砂漠の砂（４）が含水をする。この砂漠の砂（４）に含水をさせた水溶液は、毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを発明・発見をした。図１４に示しているのは、地中に埋設をしている桶形状物体（１）と、砂漠の砂（４）との中間に存在をしている、砂漠の砂（４）が含水をしている砂（８）を示している縦断面図を、図１４に示している。
【図１５】図１５に示しているのは、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、さらに、砂（４）が流入をするのを防止する防止弁（３）を経由して給水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態である。この砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水管（２）を経由して給水をさせて、さらに、砂（４）が流入をするのを防止する防止弁（３）を経由した水溶液は、桶形状物体（１）の内部に堆積をしている、砂漠の砂（４）が含水をする。この砂漠の砂（４）に含水をさせた水溶液は、毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを発明・発見をした。図１５に示しているのは、地中に埋設をしている桶形状物体（１）と、砂漠の砂（４）との中間に存在をしている、砂漠の砂（４）が含水をしている砂（８）を示している縦断面図を、図１５に示している。
【図１６】図１６に示しているのは、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水をして、ポリ乳酸製発泡農業用箱（１）の内部に堆積をしている砂漠の砂（４）が含水をしている水分は毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを発明・発見をした。図１６に示しているのは、地中に埋設をしているポリ乳酸製発泡農業用箱（１）と、砂漠の砂（４）との中間に存在をしている、砂漠の砂（４）が含水をしている砂（８）を示している縦断面図を、図１６に示している。
【図１７】図１７に示しているのは、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、砂（４）が流入をするのを防止する防止弁（３）を経由して給水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に、地表から散水管（２）を経由した水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水管（２）を経由して給水をさせて、さらに、砂（４）が流入をするのを防止する防止弁（３）を経由した水溶液は、ポリ乳酸製発泡農業用箱（１）の内部に堆積をしている砂漠の砂（４）が含水をする。この砂漠の砂が含水をしている水溶液は、毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを発明・発見をした。図１７に示しているのは、地中に埋設をしているポリ乳酸製発泡農業用箱（１）と、砂漠の砂（４）との中間に存在をしている、砂漠の砂（４）が含水をしている砂（８）を示している縦断面図を、図１７に示している。
【図１８】図１８に示しているのは、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、砂（４）が流入をするのを防止する防止弁（３）を経由して給水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に、地表から散水管（２）を経由した水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水管（２）を経由して給水をさせて、さらに、砂（４）が流入をするのを防止する防止弁（３）を経由した水溶液は、ポリ乳酸製発泡農業用箱（１）の内部に堆積をしている砂漠の砂（４）が含水をする。この砂漠の砂が含水をしている水溶液は、毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを発明・発見をした。図１８に示しているのは、地中に埋設をしているポリ乳酸製発泡農業用箱（１）と、砂漠の砂（４）との中間に存在をしている、砂漠の砂（４）が含水をしている砂（８）を示している縦断面図を、図１８に示している。
【図１９】図１９に示しているのは、例えば、砂漠の地下１ｍ前後のところに、直径が３０ｃｍ前後の桶形状物体（１）を埋設して、埋設をしている桶形状物体（１）の凹形状をした内部に水溶液をバルブ（８）を経由して水溶液を流すことにより、人工的に砂漠の地下１ｍ前後のところに、人口の水路、又は水脈（以下、略して、水脈とする）を形成することになる。砂漠の表面上から散水をした場合には、水溶液は瞬時に蒸発をする、けれども、図１９に示している、バルブ（８）を経由して、砂漠の地下１ｍ前後のところに水溶液を注水するのであれば、水溶液は蒸発をすることもないので、砂漠の地下１ｍ前後のところの、砂漠の砂に水溶液を供給することが出来ることになる。この砂漠の地下１ｍ前後の砂漠の砂が含水をした水溶液は、砂漠の表面上の温度が摂氏８０度前後と高くて、乾燥をしているので、砂漠の地下１ｍ前後の深さのところに埋設をしている、桶形状物体（１）の内部に流している水溶液は、毛細管現象により上の方向である砂漠の表層に上昇をする。この桶形状物体（１）の内部に流している水溶液が毛細管現象により、砂漠の表層に水溶液が上昇をするときに、水分は気化をして、砂漠の地中の高温状態の地中の温度を奪うことになる。この砂漠の表層の温度が摂氏８０度前後まで上昇をしていても、砂漠の地中温度は摂氏３５度前後の温度を維持することになる。この上記にて説明をした、砂漠の地下１ｍ前後のところに、極く少量の水溶液を流すことにより、砂漠の地中の温度を低下させて、砂漠の地下に水分を供給することになる。このことにより、砂漠といえども、植物である穀物、果樹、野菜、及び樹木などを栽培するのに、最適の土地となることを発明・発見をした。これにより、スイカ、トウモロコシ、薩摩芋、ニンジン、ダイコン、白菜、キャベツ、トマト、ブドウ、山芋、パイナップル、ラッキョ、ニンニク、玉ネギ、ゴボウ、及びユーカリなどを栽培することが出来ることになった縦断面図を、図１９に示している。
【図２０】図２０に示しているのは、例えば、砂漠の地下１ｍ前後のところに、直径が３０ｃｍ前後の桶形状物体（１）を埋設して、埋設をしている桶形状物体（１）の凹形状をした内部に水溶液をバルブ（８）を経由して水溶液を流すことにより、人工的に砂漠の地下１ｍ前後のところに、人口の水路、又は水脈（以下、略して、水脈とする）を形成することになる。砂漠の表面上から散水をした場合には、水溶液は瞬時に蒸発をする、けれども、図２０に示している、バルブ（８）を経由して、砂漠の地下１ｍ前後のところに水溶液を注水するのであれば、水溶液は蒸発をすることもないので、砂漠の地下１ｍ前後のところの、砂漠の砂に水溶液を供給することが出来ることになる。この砂漠の地下１ｍ前後の砂漠の砂が含水をした水溶液は、砂漠の表面上の温度が摂氏８０度前後と高くて、乾燥をしているので、砂漠の地下１ｍ前後の深さのところに埋設をしている、桶形状物体（１）の内部に流している水溶液は、毛細管現象により上の方向である砂漠の表層に上昇をする。この桶形状物体（１）の内部に流している水溶液が毛細管現象により、砂漠の表層に水溶液が上昇をするときに、水分は気化をして、砂漠の地中の高温状態の地中の温度を奪うことになる。この砂漠の表層の温度が摂氏８０度前後まで上昇をしていても、砂漠の地中温度は摂氏３５度前後の温度を維持することになる。この上記にて説明をした、砂漠の地下１ｍ前後のところに、極く少量の水溶液を流すことにより、砂漠の地中の温度を低下させて、砂漠の地下に水分を供給することになる。このことにより、砂漠といえども、植物である穀物、果樹、野菜、及び樹木などを栽培するのに、最適の土地となることを発明・発見をした。これにより、スイカ、トウモロコシ、薩摩芋、ニンジン、ダイコン、白菜、キャベツ、トマト、ブドウ、山芋、パイナップル、ラッキョ、ニンニク、玉ネギ、ゴボウ、及びユーカリなどを栽培することが出来ることになった縦断面図を、図２０に示している。
【図２１】図２１に示しているのは、砂漠の表面上に平面状態に整地をしたあとの、砂漠の表層（１０）の表面上に畝（１１）を形成している縦断面図を、図２１に示している。
【図２２】図２２に示しているのは、砂漠の表面上に平面状態に整地をしたあとの、砂漠の表層（１０）の表面上に畝（１１）を形成したあとの、畝（１１）の表面上に、ポリエチレンで出来ているフィルム（１２）、又は紙製黒色マルチ（１２）、又は生分解性プラスチックで出来ているグリーンプラマルチフィルム（１２）、又はその他のフィルム（１２）（以下、略して、フィルム１２とする）を使用して、畝（１１）の表面上を覆っている縦断面図を、図２２に示している。
【図２３】図２３に示しているのは、砂漠の表面上に平面状態に整地をしたあとの、砂漠の表層（１０）の表面上に畝（１１）を形成したあとの、畝（１１）の表面上に、ポリエチレンで出来ているフィルム（１２）、又は紙製黒色マルチ（１２）、又は生分解性プラスチックで出来ているグリーンプラマルチフィルム（１２）、又はその他のフィルム（１２）（以下、略して、フィルム１２とする）を使用して、畝（１１）の表面上を覆ったあとの、畝（１１）の表面上を覆っているフィルム（１２）の表面上に桶形状物体（１）を設置して、さらに、桶形状物体（１）の内部に散水管（２）を配管している縦断面図を、図２３に示している。
【図２４】図２４に示しているのは、砂漠の表面上に平面状態に整地をしたあとの、砂漠の表層（１０）の表面上に畝（１１）を形成したあとの、畝（１１）の表面上に、ポリエチレンで出来ているフィルム（１２）、又は紙製黒色マルチ（１２）、又は生分解性プラスチックで出来ているグリーンプラマルチフィルム（１２）、又はその他のフィルム（１２）（以下、略して、フィルム１２とする）を使用して、畝（１１）の表面上を覆ったあとの、畝（１１）の表面上を覆っているフィルム（１２）の表面上に桶形状物体（１）を設置して、さらに、桶形状物体（１）の内部に散水管（２）を配管したあと、桶形状物体（１）の表面上に、例えば、砂漠の砂（４）を桶形状物体（１）の表面上に、高さが３０ｃｍ前後の盛り砂（４）をして、桶形状物体（１）と、フィルム（１２）、及び散水管（２）を埋設している縦断面図を、図２４に示している。
【図２５】図２５に示しているのは、砂漠の表面上に平面状態に整地をしたあとの、砂漠の表層（１０）の表面上に畝（１１）を形成したあとの、畝（１１）の表面上に、ポリエチレンで出来ているフィルム（１２）、又は紙製黒色マルチ（１２）、又は生分解性プラスチックで出来ているグリーンプラマルチフィルム（１２）、又はその他のフィルム（１２）（以下、略して、フィルム１２とする）を使用して、畝（１１）の表面上を覆ったあとの、畝（１１）の表面上を覆っているフィルム（１２）の表面上に桶形状物体（１）を設置して、さらに、桶形状物体（１）の内部に散水管（２）を配管したあと、桶形状物体（１）の表面上に、例えば、砂漠の砂（４）を桶形状物体（１）の表面上に、高さが３０ｃｍ前後の盛り砂（４）をして、桶形状物体（１）と、フィルム（１２）、及び散水管（２）を埋設して、バルブ（９）、及び散水管（２）を経由して桶形状物体（１）の内部に水溶液を散水して耕作地（１３）の内部である、砂漠の砂（４）の内部の湿度を６５％以上とすることにより、植物である穀物、果樹、野菜、及び樹木などの植物は、砂漠の砂（４）が含水をしている、湿度が６５％以上ある砂漠の砂（４）が含水をしている水分を吸収して、植物は生育、及び生長をすることが出来るので、砂漠の砂（４）が含水をしている湿度が６５％になるように維持をする。また、植物である穀物、果樹、野菜、及び樹木などの植物を栽培、生育、及び生長をさせるのに必要な水溶液が、砂漠の地下に漏水をして逃げないように、砂漠の地下３０ｃｍ前後のところにフィルム（１２）を使用して耕作地（１３）の全面積を覆って、散水管（２）を経由して散水をした水溶液が砂漠の地下に漏れて漏水をさせない構成としている縦断面図を、図２５に示している。
【図２６】図２６に示しているのは、砂漠で稲作を可能とする目的にて、砂漠の表面上に平面状態に整地をしたあとの、畝（１１）の表面上に、ポリエチレンで出来ているフィルム（１２）、又は紙製黒色マルチ（１２）、又は生分解性プラスチックで出来ているグリーンプラマルチフィルム（１２）、又はその他のフィルム（１２）（以下、略して、フィルム１２とする）を使用して、畝（１１）の表面上を覆ったあとの、畝（１１）の表面上を覆っているフィルム（１２）の表面上に桶形状物体（１）を設置して、さらに、桶形状物体（１）の内部に散水管（２）を配管したあと、桶形状物体（１）の表面上に、例えば、砂漠の砂（４）を桶形状物体（１）の表面上に、高さが３０ｃｍ前後の盛り砂（４）をして、桶形状物体（１）と、フィルム（１２）、及び散水管（２）を埋設して、バルブ（９）、及び散水管（２）を経由して桶形状物体（１）の内部に水溶液を散水して植物である穀物、果樹、野菜、及び樹木などの植物を栽培、生育、及び生長をさせるのに必要な水溶液が、砂漠の地下に漏水をして逃げないように、砂漠の地下３０ｃｍ前後のところにフィルム（１２）を使用して耕作地（１３）の全面積を覆って、散水管（２）を経由して散水をした水溶液が砂漠の地下に漏れて漏水をさせない構成とすると、同時に、防水壁（１４）を耕作地（１３）の外周の側壁に形成をして、耕作地（１３）の内部に水溶液を満水状態に注水をした、稲作を可能とすることを目的とした、砂漠の水田にて稲作を行なっている縦断面図を、図２６に示している。
【図２７】図２７に示しているのは、砂漠の砂（４）が含有をしている塩分の塩分濃度が高いために、砂漠に於いては、例えば、砂漠の砂（４）が含有をしている塩分濃度が１０００PPM前後と高濃度の塩分濃度なので、植物として生長、及び生育が出来るのは、せいぜいナツメヤシぐらいの植物しか栽培をすることが出来ないのが砂漠の表層（１０）の現状である。この砂漠の砂（４）が含有をしている塩分を、砂漠の砂（４）が含有をしている、砂漠の表層（１０）の表面上にて植物である穀物、果樹、野菜、及び樹木などの植物を栽培すると、植物は蒸散作用により、砂漠の地下から植物は塩分を、次から次に吸い上げて、砂漠の表層（１０）の表面上に塩分を蒸散作用にて撒き散らすので、砂漠の表層（１０）の表面上の塩分濃度は、植物を栽培すれば、するほどに、砂漠の表層（１０）の表面上の塩分濃度は、どんどんと高くなるがために、砂漠の表層（１０）の表面上では、植物を栽培することが出来ないことが砂漠の最大の欠点である。この砂漠の砂（４）が含有をしている塩分の影響を回避するために、発泡スチロール製箱（１）を砂漠の表層（１０）の表面上に敷き詰めて、砂漠の地下と植物などとを栽培している、砂漠の表層（１０）である耕作地（７）とを断絶させて、砂漠の表層（１０）の表面上に砂漠の地下から植物が蒸散作用にて塩分を吸い上げることが出来ない構造とした耕作地（７）を提供することを目的とする。この砂漠の地下から植物が蒸散作用により塩分を吸い上げることが出来ない構造の耕作地（７）を提供する目的にて、砂漠の表層（１０）の地下を掘り下げて、例えば、３０ｃｍから１ｍ前後の砂漠の地下を掘り下げて砂漠の地下に、高さが３０ｃｍで、縦巾が４５ｃｍで、横巾が４５ｃｍの発泡スチロール製箱（１）を直列、及び並列に並べて耕作地（７）を形成する目的にて、砂漠の地下の耕作地（７）とする面積の、全ての面積に発泡スチロール製箱（１）を並べて盛り土（１７）をして埋没をさせたあと、発泡スチロール製箱（１）の表面上に耕作地（７）を形成している発泡スチロール製箱（１）の縦断面図を、図２７に示している。
【図２８】図２８に示しているのは、砂漠の砂（４）が含有をしている塩分の塩分濃度が高いために、砂漠に於いては、例えば、砂漠の砂（４）が含有をしている塩分濃度が１０００PPM前後と高濃度の塩分濃度なので、植物として生長、及び生育が出来るのは、せいぜいナツメヤシぐらいの植物しか栽培をすることが出来ないのが砂漠の表層（１０）の現状である。この砂漠の砂（４）が含有をしている塩分を、砂漠の砂（４）が含有をしている、砂漠の表層（１０）の表面上にて植物である穀物、果樹、野菜、及び樹木などの植物を栽培すると、植物は蒸散作用により、砂漠の地下から植物は塩分を、次から次に吸い上げて、砂漠の表層（１０）の表面上に塩分を蒸散作用にて撒き散らすので、砂漠の表層（１０）の表面上の塩分濃度は、植物を栽培すれば、するほどに、砂漠の表層（１０）の表面上の塩分濃度は、どんどんと高くなるがために、砂漠の表層（１０）の表面上では、植物を栽培することが出来ないことが砂漠の最大の欠点である。この砂漠の砂（４）が含有をしている塩分の影響を回避するために、発泡スチロール製箱（１）を砂漠の表層（１０）の表面上に敷き詰めて、砂漠の地下と植物などとを栽培している、砂漠の表層（１０）である耕作地（７）とを断絶させて、砂漠の表層（１０）の表面上に砂漠の地下から植物が蒸散作用にて塩分を吸い上げることが出来ない構造とした耕作地（７）を提供することを目的とする。この砂漠の地下から植物が蒸散作用により塩分を吸い上げることが出来ない構造の耕作地（７）を提供する目的にて、砂漠の表層（１０）の地下を掘り下げて、例えば、３０ｃｍから１ｍ前後の砂漠の地下を掘り下げて砂漠の地下に、高さが３０ｃｍで、縦巾が４５ｃｍで、横巾が４５ｃｍの発泡スチロール製箱（１）を直列、及び並列に並べて耕作地（７）を形成する目的にて、砂漠の地下の耕作地（７）とする面積の、全ての面積に発泡スチロール製箱（１）を並べて盛り土（１７）をして埋没をさせたあと、発泡スチロール製箱（１）の表面上に耕作地（７）を形成している発泡スチロール製箱（１）の平面図を、図２８に示している。
【図２９】図２９に示しているのは、砂漠の砂（４）が含有をしている塩分の塩分濃度が高いために、砂漠に於いては、例えば、砂漠の砂（４）が含有をしている塩分濃度が１０００PPM前後と高濃度の塩分濃度なので、植物として生長、及び生育が出来るのは、せいぜいナツメヤシぐらいの植物しか栽培をすることが出来ないのが砂漠の表層（１０）の現状である。この砂漠の砂（４）が含有をしている塩分を、砂漠の砂（４）が含有をしている、砂漠の表層（１０）の表面上にて植物である穀物、果樹、野菜、及び樹木などの植物を栽培すると、植物は蒸散作用により、砂漠の地下から植物は塩分を、次から次に吸い上げて、砂漠の表層（１０）の表面上に塩分を蒸散作用にて撒き散らすので、砂漠の表層（１０）の表面上の塩分濃度は、植物を栽培すれば、するほどに、砂漠の表層（１０）の表面上の塩分濃度は、どんどんと高くなるがために、砂漠の表層（１０）の表面上では、植物を栽培することが出来ないことが砂漠の最大の欠点である。この砂漠の砂（４）が含有をしている塩分の影響を回避するために、発泡スチロール製箱（１）を砂漠の表層（１０）の表面上に敷き詰めて、砂漠の地下と植物などとを栽培している、砂漠の表層（１０）である耕作地（７）とを断絶させて、砂漠の表層（１０）の表面上に砂漠の地下から植物が蒸散作用にて塩分を吸い上げることが出来ない構造とした耕作地（７）を提供することを目的とする。この砂漠の地下から植物が蒸散作用により塩分を吸い上げることが出来ない構造の耕作地（７）を提供する目的にて、砂漠の表層（１０）の表面上を整地して、例えば、高さが３０ｃｍで、縦巾が４５ｃｍで、横巾が４５ｃｍの発泡スチロール製箱（１）を直列、及び並列に並べて耕作地（７）を形成する目的にて、砂漠の表層（１０）の表面上に耕作地（７）とする面積の、全ての面積に発泡スチロール製箱（１）を並べたあと、発泡スチロール製箱（１）の上部の部分に、例えば、高さが３０ｃｍから１ｍ前後の盛り土（１７）をして、発泡スチロール製箱（１）の表面上に耕作地（７）を形成している発泡スチロール製箱（１）の縦断面図を、図２９に示している。
【図３０】図３０に示しているのは、砂漠の砂（４）が含有をしている塩分の塩分濃度が高いために、砂漠に於いては、例えば、砂漠の砂（４）が含有をしている塩分濃度が１０００PPM前後と高濃度の塩分濃度なので、植物として生長、及び生育が出来るのは、せいぜいナツメヤシぐらいの植物しか栽培をすることが出来ないのが砂漠の表層（１０）の現状である。この砂漠の砂（４）が含有をしている塩分を、砂漠の砂（４）が含有をしている、砂漠の表層（１０）の表面上にて植物である穀物、果樹、野菜、及び樹木などの植物を栽培すると、植物は蒸散作用により、砂漠の地下から植物は塩分を、次から次に吸い上げて、砂漠の表層（１０）の表面上に塩分を蒸散作用にて撒き散らすので、砂漠の表層（１０）の表面上の塩分濃度は、植物を栽培すれば、するほどに、砂漠の表層（１０）の表面上の塩分濃度は、どんどんと高くなるがために、砂漠の表層（１０）の表面上では、植物を栽培することが出来ないことが砂漠の最大の欠点である。この砂漠の砂（４）が含有をしている塩分の影響を回避するために、発泡スチロール製箱（１）を砂漠の表層（１０）の表面上に敷き詰めて、砂漠の地下と植物などとを栽培している、砂漠の表層（１０）である耕作地（７）とを断絶させて、砂漠の表層（１０）の表面上に砂漠の地下から植物が蒸散作用にて塩分を吸い上げることが出来ない構造とした耕作地（７）を提供することを目的とする。この砂漠の地下から植物が蒸散作用により塩分を吸い上げることが出来ない構造の耕作地（７）を提供する目的にて、砂漠の表層（１０）の表面上を整地して、例えば、高さが３０ｃｍで、縦巾が４５ｃｍで、横巾が４５ｃｍの発泡スチロール製箱（１）を直列、及び並列に並べて耕作地（７）を形成する目的にて、砂漠の表層（１０）の表面上に耕作地（７）とする面積の、全ての面積に発泡スチロール製箱（１）を並べたあと、発泡スチロール製箱（１）の上部の部分に、例えば、高さが３０ｃｍから１ｍ前後の盛り土（１７）をして、発泡スチロール製箱（１）の表面上に耕作地（７）を形成している発泡スチロール製箱（１）の平面図を、図３０に示している。
【図３１】図３１に示しているのは、福島県にある、原子力発電所の事故により、周辺地域の運動場、又は水田、畑、耕作地などの土壌が、セシウムなどの放射性物質に汚染をされて、人体、及び植物を栽培するのに、人体、及び植物に影響を与える、放射線量を上回っている、運動場、又は耕作地の地域が広い範囲の地域にて発生をしている。この放射能、又は放射線（以下、略して、放射能とする）例えば、セシウム、プルトニウム、又はその他の放射性物質（以下、略して、セシウムとする）である、セシウムに汚染をされた、運動場、水田、畑、及びその他の土壌（以下、略して、運動場、又は耕作地、又は土壌とする）が、セシウムなどの放射性物質に汚染をされた運動場、又は耕作地の、放射性物質の放射線量を低下させて、人体に影響を与えない、安全な運動場、又は安全な植物を育成させて成長をさせることが出来る耕作地を提供することを目的とする。この目的を達成するために、セシウムなどの放射能を効率よく吸収をすることが出来る、活性炭、又はゼオライトなどを混入して成型をした、発泡スチロール製板（１）、又は発泡スチロール製箱（１）を使用して、セシウムなどの放射能を除去する目的のために、放射能に汚染をされている地下に、例えば、発泡スチロールで出来ている、厚さが、３ｃｍ、又は５ｃｍ、又は１０ｃｍ前後の、縦×横が、４５ｃｍ×４５ｃｍ、又は１ｍ前後の、ヤシ殻活性炭、又はバカス活性炭、又はカーボンブラック、又はケッチェンブラック、又はカーボンナノチューブ、又はグラフェン、又はゼオライト（以下、略して、活性炭、又はゼオライトとする）を、発泡スチロールを成型する原材料の内部に混入して混合をして、活性炭、又はゼオライトを、発泡スチロールの原材料の内部に混入した原材料を使用して成型をした、発泡スチロールで出来ている、発泡スチロール製板のカット板（１）、又は発泡スチロール製箱（１）を直列、及び並列に並べたあと、発泡スチロール製箱（１）の上から、放射能に汚染をされていない土壌（４）を盛り土して、発泡スチロール製箱（１）を埋没させている盛り砂、又は盛り土（以下、略して、盛り土とする）を使用して、運動場、又は耕作地などが含有をしている、セシウムなどの放射能を除去することを目的とする。この放射能に汚染をされた運動場（１９）、又は耕作地（１９）が含有をしている、セシウムなどの放射性物質を、運動場（１９）、又は耕作地（１９）の表面上にて植物である穀物、果樹、野菜、及び樹木などの植物を栽培すると、植物は蒸散作用により、放射能に汚染をされた地下から植物は、セシウムなどの放射性物質を、次から次にと吸い上げて、運動場（１９）、又は耕作地（１９）の表面上にセシウムなどの放射性物質を蒸散作用にて撒き散らすので、放射能に汚染をされた耕作地（１９）の表面上の、セシウムなどの放射性物質の放射線量の数値は、植物を栽培すれば、するほどに、運動場（１９）、又は耕作地（１９）の表面上のセシウムなどの放射性物質の濃度は、どんどんと高くなる。この問題を回避するために、運動場（１９）、又は耕作地（１９）の地下に発泡スチロール製箱（１）を敷き詰めて、耕作地（１９）の表層と、植物などとを栽培している地下とを断絶させて、運動場（��９）、又は耕作地（１９）の表面上に運動場（１９）、又は耕作地（１９）の地下から、植物が蒸散作用にて、セシウムなどの放射性物質を蒸散作用にて、運動場（１９）、又は耕作地（１９）の表面上に吸い上げることが出来ない構造とした運動場（１９）、又は耕作地（１９）を提供することを目的とする。この運動場（１９）、又は耕作地（１９）の地下から、植物の蒸散作用により、セシウムなどの放射性物質を吸い上げることが出来ない構造の耕作地（１９）を提供する目的にて、例えば、運動場（１９）、又は耕作地（１９）の地下、３０ｃｍから５０ｃｍの、地下を掘り下げて、運動場（１９）、又は耕作地（１９）の地下に、発泡スチロールで出来ている、厚さが、３ｃｍ、又は５ｃｍ、又は１０ｃｍ前後の、縦×横が、４５ｃｍ×４５ｃｍ、又は１ｍ×１ｍ前後の、発泡スチロールで出来ている、発泡スチロール製板のカット板（１）、又は高さが、１０ｃｍ、又は３０ｃｍで、縦巾が４５ｃｍで、横巾が４５ｃｍの発泡スチロール製箱（１）を直列、及び並列に並べて運動場（１９）、又は耕作地（１９）を形成して、発泡スチロール製箱（１）と、植物などを栽培する、運動場（１９）、又は耕作地（１９）の表面上と、発泡スチロール製箱（１）との中間だけで水溶液を循環させる構成とするために、運動場（１９）、又は耕作地（１９）の地下の、全ての面積に発泡スチロール製箱（１）を直列、及び並列に並べて盛り土（２０）をして、発泡スチロール製箱（１）を埋設させたあと、発泡スチロール製箱（１）の表面上に運動場（１９）、又は耕作地（１９）を形成している発泡スチロール製箱（１）の縦断面図を、図３１に示している。
【図３２】図３２に示しているのは、福島県にある、原子力発電所の事故により、周辺地域の運動場、又は水田、畑、耕作地などの土壌が、セシウムなどの放射性物質に汚染をされて、人体、及び植物を栽培するのに、人体、及び植物に影響を与える、放射線量を上回っている、運動場、又は耕作地の地域が広い範囲の地域にて発生をしている。この放射能、又は放射線（以下、略して、放射能とする）例えば、セシウム、プルトニウム、又はその他の放射性物質（以下、略して、セシウムとする）である、セシウムに汚染をされた、運動場、水田、畑、及びその他の土壌（以下、略して、運動場、又は耕作地、又は土壌とする）が、セシウムなどの放射性物質に汚染をされた運動場、又は耕作地の、放射性物質の放射線量を低下させて、人体に影響を与えない、安全な運動場、又は安全な植物を育成させて成長をさせることが出来る耕作地を提供することを目的とする。この放射能に汚染をされた運動場（１９）、又は耕作地（１９）が含有をしている、セシウムなどの放射性物質を、運動場（１９）、又は耕作地（１９）の表面上にて植物である穀物、果樹、野菜、及び樹木などの植物を栽培すると、植物は蒸散作用により、放射能に汚染をされた地下から植物は、セシウムなどの放射性物質を、次から次にと吸い上げて、運動場（１９）、又は耕作地（１９）の表面上にセシウムなどの放射性物質を蒸散作用にて撒き散らすので、放射能に汚染をされた耕作地（１９）の表面上の、セシウムなどの放射性物質の放射線量の数値は、植物を栽培すれば、するほどに、運動場（１９）、又は耕作地（１９）の表面上のセシウムなどの放射性物質の濃度は、どんどんと高くなる。この問題を回避するために、運動場（１９）、又は耕作地（１９）の地下に発泡スチロール製箱（１）を敷き詰めて、耕作地（１９）の表層と、植物などとを栽培している地下とを断絶させて、運動場（１９）、又は耕作地（１９）の表面上に運動場（１９）、又は耕作地（１９）の地下から、植物が蒸散作用にて、セシウムなどの放射性物質を蒸散作用にて、運動場（１９）、又は耕作地（１９）の表面上に吸い上げることが出来ない構造とした運動場（１９）、又は耕作地（１９）を提供することを目的とする。この運動場（１９）、又は耕作地（１９）の地下から、植物の蒸散作用により、セシウムなどの放射性物質を吸い上げることが出来ない構造の耕作地（１９）を提供する目的にて、例えば、運動場（１９）、又は耕作地（１９）の地下、３０ｃｍから５０ｃｍの、地下を掘り下げて、運動場（１９）、又は耕作地（１９）の地下に、発泡スチロールで出来ている、厚さが、３ｃｍ、又は５ｃｍ、又は１０ｃｍ前後の、縦×横が、４５ｃｍ×４５ｃｍ、又は１ｍ×１ｍ前後の、発泡スチロールで出来ている、発泡スチロール製板のカット板（１）、又は高さが、１０ｃｍ、又は３０ｃｍで、縦巾が４５ｃｍで、横巾が４５ｃｍの発泡スチロール製箱（１）を直列、及び並列に並べて運動場（１９）、又は耕作地（１９）を形成して、発泡スチロール製箱（１）と、植物などを栽培する、運動場（１９）、又は耕作地（１９）の表面上と、発泡スチロール製箱（１）との中間だけで水溶液を循環させる構成とするために、運動場（１９）、又は耕作地（１９）の地下の、全ての面積に発泡スチロール製箱（１）を直列、及び並列に並べて盛り土（２０）をして、発泡スチロール製箱（１）を埋設させたあと、発泡スチロール製箱（１）の表面上に運動場（１９）、又は耕作地（１９）を形成している発泡スチロール製箱（１）の平面図を、図３２に示している。
【図３３】図３３に示しているのは、福島県にある、原子力発電所の事故により、周辺地域の運動場、又は水田、畑、耕作地などの土壌が、セシウムなどの放射性物質に汚染をされて、人体、及び植物を栽培するのに、人体、及び植物に影響を与える、放射線量を上回っている、運動場、又は耕作地の地域が広い範囲の地域にて発生をしている。この放射能、又は放射線（以下、略して、放射能とする）例えば、セシウム、プルトニウム、又はその他の放射性物質（以下、略して、セシウムとする）である、セシウムに汚染をされた、運動場、水田、畑、及びその他の土壌（以下、略して、運動場、又は耕作地、又は土壌とする）が、セシウムなどの放射性物質に汚染をされた耕作地の、放射性物質の放射線量を低下させて、人体に影響を与えない、安全な運動場、又は安全な植物を育成させて成長をさせることが出来る耕作地を提供することを目的とする。この放射能に汚染をされた運動場（１９）、又は耕作地（１９）が含有をしている、セシウムなどの放射性物質を、運動場（１９）、又は耕作地（１９）の表面上にて植物である穀物、果樹、野菜、及び樹木などの植物を栽培すると、植物は蒸散作用により、放射能に汚染をされた地下から植物は、セシウムなどの放射性物質を、次から次にと吸い上げて、運動場（１９）、又は耕作地（１９）の表面上にセシウムなどの放射性物質を蒸散作用にて撒き散らすので、放射能に汚染をされた運動場（１９）、又は耕作地（１９）の表面上の、セシウムなどの放射性物質の放射線量の数値は、植物を栽培すれば、するほどに、運動場（１９）、又は耕作地（１９）の表面上のセシウムなどの放射性物質の濃度は、どんどんと高くなる。この問題を回避するために、運動場（１９）、又は耕作地（１９）の地下に発泡スチロール製箱（１）を敷き詰めて、運動場（１９）、又は耕作地（１９）の表層と、植物などとを栽培している地下とを断絶させて、運動場（１９）、又は耕作地（１９）の表面上に耕作地（１９）の地下から、植物が蒸散作用にて、セシウムなどの放射性物質を蒸散作用にて、運動場（１９）、又は耕作地（１９）の表面上に吸い上げることが出来ない構造とした運動場（１９）、又は耕作地（１９）を提供することを目的とする。この運動場（１９）、又は耕作地（１９）の地下から、植物の蒸散作用により、セシウムなどの放射性物質を吸い上げることが出来ない構造の運動場（１９）、又は耕作地（１９）を提供する目的にて、例えば、放射能に汚染をされた運動場（１９）、又は耕作地（１９）の表面上を整地して、例えば、発泡スチロールで出来ている、厚さが、３ｃｍ、又は５ｃｍ、又は１０ｃｍ前後の、縦×横が、４５ｃｍ×４５ｃｍ、又は１ｍ×１ｍ前後の、発泡スチロールで出来ている、発泡スチロール製板のカット板（１）、又は高さが、３０ｃｍで、縦巾が４５ｃｍで、横巾が４５ｃｍの発泡スチロール製箱（１）を直列、及び並列に並べて、放射能に汚染をさせていない土壌（４）を使用して、運動場（１９）、又は耕作地（１９）を形成する目的にて、放射能に汚染をされている運動場（１９）、又は耕作地（１９）の、全ての面積に発泡スチロール製箱（１）を並べたあと、発泡スチロール製箱（１）の上部の部分に、例えば、高さが１０ｃｍ、又は３０ｃｍから１ｍ前後の盛り土（２０）をして、発泡スチロール製箱（１）の表面上に運動場（１９）、又は耕作地（１９）を形成している縦断面図を、図３３に示している。
【図３４】図３４に示しているのは、福島県にある、原子力発電所の事故により、周辺地域の運動場、又は水田、畑、耕作地などの土壌が、セシウムなどの放射性物質に汚染をされて、人体、及び植物を栽培するのに、人体、及び植物に影響を与える、放射線量を上回っている、運動場、又は耕作地の地域が広い範囲の地域にて発生をしている。この放射能、又は放射線（以下、略して、放射能とする）例えば、セシウム、プルトニウム、又はその他の放射性物質（以下、略して、セシウムとする）である、セシウムに汚染をされた、運動場、水田、畑、及びその他の土壌（以下、略して、運動場、又は耕作地、又は土壌とする）が、セシウムなどの放射性物質に汚染をされた耕作地の、放射性物質の放射線量を低下させて、人体に影響を与えない、安全な運動場、又は安全な植物を育成させて成長をさせることが出来る耕作地を提供することを目的とする。この放射能に汚染をされた運動場（１９）、又は耕作地（１９）が含有をしている、セシウムなどの放射性物質を、運動場（１９）、又は耕作地（１９）の表面上にて植物である穀物、果樹、野菜、及び樹木などの植物を栽培すると、植物は蒸散作用により、放射能に汚染をされた地下から植物は、セシウムなどの放射性物質を、次から次にと吸い上げて、運動場（１９）、又は耕作地（１９）の表面上にセシウムなどの放射性物質を蒸散作用にて撒き散らすので、放射能に汚染をされた運動場（１９）、又は耕作地（１９）の表面上の、セシウムなどの放射性物質の放射線量の数値は、植物を栽培すれば、するほどに、運動場（１９）、又は耕作地（１９）の表面上のセシウムなどの放射性物質の濃度は、どんどんと高くなる。この問題を回避するために、運動場（１９）、又は耕作地（１９）の地下に発泡スチロール製箱（１）を敷き詰めて、運動場（１９）、又は耕作地（１９）の表層と、植物などとを栽培している地下とを断絶させて、運動場（１９）、又は耕作地（１９）の表面上に耕作地（１９）の地下から、植物が蒸散作用にて、セシウムなどの放射性物質を蒸散作用にて、運動場（１９）、又は耕作地（１９）の表面上に吸い上げることが出来ない構造とした運動場（１９）、又は耕作地（１９）を提供することを目的とする。この運動場（１９）、又は耕作地（１９）の地下から、植物の蒸散作用により、セシウムなどの放射性物質を吸い上げることが出来ない構造の運動場（１９）、又は耕作地（１９）を提供する目的にて、例えば、放射能に汚染をされた運動場（１９）、又は耕作地（１９）の表面上を整地して、例えば、発泡スチロールで出来ている、厚さが、３ｃｍ、又は５ｃｍ、又は１０ｃｍ前後の、縦×横が、４５ｃｍ×４５ｃｍ、又は１ｍ×１ｍ前後の、発泡スチロールで出来ている、発泡スチロール製板のカット板（１）、又は高さが、３０ｃｍで、縦巾が４５ｃｍで、横巾が４５ｃｍの発泡スチロール製箱（１）を直列、及び並列に並べて、放射能に汚染をさせていない土壌（４）を使用して、運動場（１９）、又は耕作地（１９）を形成する目的にて、放射能に汚染をされている運動場（１９）、又は耕作地（１９）の、全ての面積に発泡スチロール製箱（１）を並べたあと、発泡スチロール製箱（１）の上部の部分に、例えば、高さが１０ｃｍ、又は３０ｃｍから１ｍ前後の盛り土（２０）をして、発泡スチロール製箱（１）の表面上に運動場（１９）、又は耕作地（１９）を形成している平面図を、図３４に示している。
【発明を実施するための形態】
【実施例１】
【００４０】
日中温度が摂氏５０度以上に上昇をする砂漠に於いて栽培をしている穀物、果樹、野菜、及び樹木などの植物に、地中に水を遠い所に送る管である、塩化ビニール樹脂などで出来ている桶（１）、又は１箇所を縦方向に切断をしたパイプ（１）、又は箱（１）、又はダンボール箱（１）（以下、略して、桶、又は桶形状物体とする）を、地下３０ｃｍ前後の地下のところに埋設をして、さらに、桶形状物体（１）の内部に、砂漠の砂（４）が流入をするのを防止する防止弁（３）を、先端に取り付けている散水管（２）を桶形状物体（１）の内部に設置をして、桶形状物体（１）の内部に散水管（２）を経由して水を散水して、桶形状物体（１）の内部に入っている砂（４）に給水をする構造とした、畑の地下に桶形状物体（１）を埋設した構造とすることにより、砂漠の表面上から散水をするのとは異なり、桶形状物体（１）の内部に入っている砂（４）は、常時水分を含水している状態とすることが出来るので、砂漠でも、極く少ない水量を使用して植物である、穀物、果樹、野菜、及び樹木を生育させることを実施例１とする。
【実施例２】
【００４１】
砂漠の地下３０ｃｍ前後の地下のところから地上にかけて、ダンボール箱（１）、又は箱（１）（以下、略して、ダンボール箱、又は箱とする）を埋設して、さらに、ダンボール箱（１）の内側の側面上に生分解性プラスチックを原材料として出来ているフィルム（５）を被せて、ダンボール箱（１）の内部に散水をした水溶液が溜まる構造とした、ダンボール箱（１）の内部に散水管（２）を設置している構造の耕作地にて穀物、果樹、野菜、及び樹木などの植物を耕作することにより、極く安いコストにて、ダンボール箱（１）の内部に散水管（２）を経由して散水をした水溶液が、ダンボール箱（１）の内部に溜めることが出来る構造とした耕作地を、不毛の大地の砂漠に形成をすることにより、不毛の大地にて穀物、果樹、野菜、及び樹木などの植物を栽培することが出来ることを実施例２とする。
【実施例３】
【００４２】
砂漠の地下３０ｃｍ前後の地下のところから地上にかけて、ダンボール箱（１）、又はポリ乳酸製発泡農業用箱（１）（以下、略して、ダンボール箱、又はポリ乳酸製発泡農業用箱とする）を埋設して、さらに、ダンボール箱（１）の内側の側面上に生分解性プラスチックを原材料として出来ているフィルム（５）を被せて、ダンボール箱（１）の内部に散水をした水溶液が溜まる構造とした、ダンボール箱（１）の内部にて穀物、果樹、野菜、及び樹木などの植物を耕作することにより、極く安いコストにて、ダンボール箱（１）の内部に散水をした水溶液が、ダンボール箱（１）の内部に溜めることが出来る構造とした耕作地を、不毛の大地の砂漠に形成をすることにより、不毛の大地にて穀物、果樹、野菜、及び樹木などの植物を栽培することが出来ることを実施例とする。
【実施例４】
【００４３】
砂漠の地下３０ｃｍ前後の地下のところから地上にかけて、水溶液が漏れないような構造としたダンボール箱（１）、又は米国のカーギル社が開発をした、原材料が殻物由来のトウモロコシから出来ている、生分解性プラスチックを原材料として出来ているポリ乳酸製発泡農業用箱（１）、又はその他の原材料で出来ている、水溶液が漏れない構造とした容器（１）（以下、略して、ダンボール箱（１）、又はポリ乳酸製発泡農業用箱（１）とする）を、例えば、耕作地とする３０ｃｍ前後の地下のところから地上にかけて、ポリ乳酸製発泡農業用箱（１）を埋設して、埋設をした箱（１）の内部に散水をした水溶液が溜まる構造とした、ポリ乳酸製発泡農業用箱（１）の内部にて穀物、果樹、野菜、及び樹木などの植物を耕作することにより、散水をした水溶液がポリ乳酸製発泡農業用箱（１）の内部に溜まることが出来る構造とした耕作地を、不毛の大地の砂漠に形成をして植物を耕作することにより、不毛の大地にて穀物、果樹、野菜、及び樹木などの植物を栽培することが出来ることを実施例４とする。
【実施例５】
【００４４】
米国のカーギル社が開発をした、原材料が殻物由来のトウモロコシから出来ている、生分解性プラスチックを原材料として出来ているポリ乳酸製発泡農業用箱（１）を耕作地に埋設をして、埋設をしたポリ乳酸製発泡農業用箱（１）の内部に散水をした水溶液が溜まる構造とした耕作地である、ポリ乳酸製発泡農業用箱（１）の内部にて穀物、果樹、野菜、及び樹木などの植物を耕作する、最大の利点は、植物などの耕作が終了をした耕作地を、トラクターを使用して土壌と箱（１）とを一緒に粉砕をして、トラクターを使用して土壌を掘り返して土を軟らかくして、土壌を耕すことが出来ることが、生分解性プラスチックを原料として出来ているポリ乳酸製発泡農業用箱（１）、及び生分解性プラスチックを原材料として出来ているフィルム（５）を、水溶液を地中に溜める目的にて使用して穀物、果樹、野菜、及び樹木などの植物を栽培することが出来ることが、最大の利点であることを実施例５とする。
【実施例６】
【００４５】
図１０、及び図１１に示しているのは、生分解性プラスチックを原材料として出来ている、例えば、仮称がポリ乳酸製発泡農業用箱（１）を使用して、ポリ乳酸製発泡農業用箱（１）の底面の部分に水溶液を溜めて穀物、果樹、野菜、及び樹木などの植物を栽培すると、植物の根が腐敗をする。この植物の根が腐敗をするのを防止する目的にて、図１０、及び図１１に示している、ポリ乳酸製発泡農業用箱（１）の側面上に穴（６）を形成して、この穴（６）を経由して、植物の根はポリ乳酸性発泡農業用箱（１）の外周を取り巻いている土壌の内部に進入をすることが出来るので、ポリ乳酸製発泡農業用箱（１）の側面上に穴（６）を形成することにより、植物の根の腐敗を防止することが出来ることを実施例６とする。
【実施例７】
【００４６】
生分解性プラスチックの原材料は、土の中に存在をしている微生物が分解をすることが出来る、ポリ乳酸が原材料で出来ているので、上記にて説明をした、ポリ乳酸製発泡農業用箱（１）は土の中で微生物が分解をして、水と二酸化炭素を微生物は吐き出す。また、空気がないところで働く微生物の場合には、二酸化炭素とメタンガスなどを微生物は吐き出すので、ポリ乳酸性発泡農業用箱（１）を使用して穀物、果樹、野菜、及び樹木などの植物を耕作したあとの、地中に残っているポリ乳酸製発泡農業用箱（１）の処分方法としては、トラクターを使用して耕作地である土壌と一緒に粉砕をして、トラクターを使用して土壌を掘り返して土壌を軟らかくすることが出来ることを実施例７とする。
【実施例８】
【００４７】
砂漠を緑化する目的のために、上記にて説明をした、原材料は異なるけれども、発泡スチロールの原材料はポリスチレンで出来ている、発泡スチロールと全く同様の、ポリ乳酸が原材料で出来ている、発泡スチロール製の容器の製造方法と全く同様の製造方法にて製造をした、ポリ乳酸製発泡農業用箱（１）を耕作地に、例えば、深さが３０ｃｍで、横巾が５０ｃｍの溝を耕作地である畑に、畝を形成する直下に、深さが３０ｃｍで、横巾が５０ｃｍの溝を形成して、畝の真下の部分に当たるところに形成をしている溝の内部に、例えば、高さが３０ｃｍで、横巾が５０ｃｍで、長さが１ｍで、肉厚が２ｃｍの、ポリ乳酸製発泡農業用箱（１）を、畝の真下に当たるところの部分に、ポリ乳酸製発泡農業用箱（１）を畝の真下部分に畝に対して平行に埋設をして、埋設をしたポリ乳酸製発泡農業用箱（１）の内部に散水をした水溶液を溜めることが出来る構成とする。これにより溜池の効果と同様の効果となる。この溜池の効果と同様の効果を目的とする、ポリ乳酸製発泡農業用箱（１）の内部に溜めている水溶液を使用して穀物、果樹、野菜、及び樹木などの植物を栽培することになるので、極く簡単な構造であり、極く安価であり、作業性がよくて、環境に優しくて、環境に負荷をかけない、ポリ乳酸製発泡農業用箱（１）を使用することにより、ポリ乳酸製発泡農業用箱（１）を使用して、極く簡便に砂漠を緑化することが出来ることを実施例８とする。
【実施例９】
【００４８】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水をして、桶形状物体（１）の内部に堆積をしている砂漠の砂（４）が含水をしている水分は毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを実施例９とする。
【実施例１０】
【００４９】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、散水管（２）を経由して砂漠の砂（４）に水溶液を含水させる。さらに、砂が流入をするのを防止する防止弁（３）を経由して砂漠の砂（４）に水溶液を含水させることにより、砂漠の地表と散水管（２）との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを実施例１０とする。
【実施例１１】
【００５０】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、さらに、砂（４）が流入をするのを防止する防止弁（３）を経由して給水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態である。この砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水管（２）を経由して給水をさせて、さらに、砂（４）が流入をするのを防止する防止弁（３）を経由した水溶液は、桶形状物体（１）の内部に堆積をしている、砂漠の砂（４）が含水をする。この砂漠の砂（４）に含水をさせた水溶液は、毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを実施例１１とする。
【実施例１２】
【００５１】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、さらに、砂（４）が流入をするのを防止する防止弁（３）を経由して給水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態である。この砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水管（２）を経由して給水をさせて、さらに、砂（４）が流入をするのを防止する防止弁（３）を経由した水溶液は、桶形状物体（１）の内部に堆積をしている、砂漠の砂（４）が含水をする。この砂漠の砂（４）に含水をさせた水溶液は、毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを実施例１２とする。
【実施例１３】
【００５２】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水をして、ポリ乳酸製発泡農業用箱（１）の内部に堆積をしている砂漠の砂（４）が含水をしている水分は毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを実施例１３とする。
【実施例１４】
【００５３】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、砂（４）が流入をするのを防止する防止弁（３）を経由して給水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に、地表から散水管（２）を経由した水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水管（２）を経由して給水をさせて、さらに、砂（４）が流入をするのを防止する防止弁（３）を経由した水溶液は、ポリ乳酸製発泡農業用箱（１）の内部に堆積をしている砂漠の砂（４）が含水をする。この砂漠の砂が含水をしている水溶液は、毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを実施例１４とする。
【実施例１５】
【００５４】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、砂（４）が流入をするのを防止する防止弁（３）を経由して給水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に、地表から散水管（２）を経由した水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水管（２）を経由して給水をさせて、さらに、砂（４）が流入をするのを防止する防止弁（３）を経由した水溶液は、ポリ乳酸製発泡農業用箱（１）の内部に堆積をしている砂漠の砂（４）が含水をする。この砂漠の砂が含水をしている水溶液は、毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを実施例１５とする。
【実施例１６】
【００５５】
例えば、砂漠の地下１ｍ前後のところに、直径が３０ｃｍ前後の桶形状物体（１）を埋設して、埋設をしている桶形状物体（１）の凹形状をした内部に水溶液をバルブ（８）を経由して水溶液を流すことにより、人工的に砂漠の地下１ｍ前後のところに、人口の水路、又は水脈（以下、略して、水脈とする）を形成することになる。砂漠の表面上から散水をした場合には、水溶液は瞬時に蒸発をする、けれども、図１９に示している、バルブ（８）を経由して、砂漠の地下１ｍ前後のところに水溶液を注水するのであれば、水溶液は蒸発をすることもないので、砂漠の地下１ｍ前後のところの、砂漠の砂に水溶液を供給することが出来ることになる。この砂漠の地下１ｍ前後の砂漠の砂が含水をした水溶液は、砂漠の表面上の温度が摂氏８０度前後と高くて、乾燥をしているので、砂漠の地下１ｍ前後の深さのところに埋設をしている、桶形状物体（１）の内部に流している水溶液は、毛細管現象により上の方向である砂漠の表層に上昇をする。この桶形状物体（１）の内部に流している水溶液が毛細管現象により、砂漠の表層に水溶液が上昇をするときに、水分は気化をして、砂漠の地中の高温状態の地中の温度を奪うことになる。この砂漠の表層の温度が摂氏８０度前後まで上昇をしていても、砂漠の地中温度は摂氏３５度前後の温度を維持することになる。この上記にて説明をした、砂漠の地下１ｍ前後のところに、極く少量の水溶液を流すことにより、砂漠の地中の温度を低下させて、砂漠の地下に水分を供給することになる。このことにより、砂漠といえども、植物である穀物、果樹、野菜、及び樹木などを栽培するのに、最適の土地となることを発明・発見をした。これにより、トウモロコシ、薩摩芋、ニンジン、ダイコン、白菜、キャベツ、トマト、ブドウ、山芋、パイナップル、ラッキョ、ニンニク、玉ネギ、ゴボウ、及びユーカリなどを栽培することが出来ることを実施例１６とする。
【実施例１７】
【００５６】
例えば、砂漠の地下１ｍ前後のところに、直径が３０ｃｍ前後の桶形状物体（１）を埋設して、埋設をしている桶形状物体（１）の凹形状をした内部に水溶液をバルブ（８）を経由して水溶液を流すことにより、人工的に砂漠の地下１ｍ前後のところに、人口の水路、又は水脈（以下、略して、水脈とする）を形成することになる。砂漠の表面上から散水をした場合には、水溶液は瞬時に蒸発をする、けれども、図２０に示している、バルブ（８）を経由して、砂漠の地下１ｍ前後のところに水溶液を注水するのであれば、水溶液は蒸発をすることもないので、砂漠の地下１ｍ前後のところの、砂漠の砂に水溶液を供給することが出来ることになる。この砂漠の地下１ｍ前後の砂漠の砂が含水をした水溶液は、砂漠の表面上の温度が摂氏８０度前後と高くて、乾燥をしているので、砂漠の地下１ｍ前後の深さのところに埋設をしている、桶形状物体（１）の内部に流している水溶液は、毛細管現象により上の方向である砂漠の表層に上昇をする。この桶形状物体（１）の内部に流している水溶液が毛細管現象により、砂漠の表層に水溶液が上昇をするときに、水分は気化をして、砂漠の地中の高温状態の地中の温度を奪うことになる。この砂漠の表層の温度が摂氏８０度前後まで上昇をしていても、砂漠の地中温度は摂氏３５度前後の温度を維持することになる。この上記にて説明をした、砂漠の地下１ｍ前後のところに、極く少量の水溶液を流すことにより、砂漠の地中の温度を低下させて、砂漠の地下に水分を供給することになる。このことにより、砂漠といえども、植物である穀物、果樹、野菜、及び樹木などを栽培するのに、最適の土地となることを発明・発見をした。これにより、スイカ、トウモロコシ、薩摩芋、ニンジン、ダイコン、白菜、キャベツ、トマト、ブドウ、山芋、パイナップル、ラッキョ、ニンニク、玉ネギ、ゴボウ、及びユーカリなどを栽培することが出来ることを実施例１７とする。
【実施例１８】
【００５７】
砂漠で稲作を可能とする目的にて、砂漠の表面上に平面状態に整地をしたあとの、砂漠の表層（１０）の表面上に畝（１１）を形成したあとの、畝（１１）の表面上に、ポリエチレンで出来ているフィルム（１２）、又は紙製黒色マルチ（１２）、又は生分解性プラスチックで出来ているグリーンプラマルチフィルム（１２）、又はその他のフィルム（１２）（以下、略して、フィルム１２とする）を使用して、畝（１１）の表面上を覆ったあとの、畝（１１）の表面上を覆っているフィルム（１２）の表面上に桶形状物体（１）を設置して、さらに、桶形状物体（１）の内部に散水管（２）を配管したあと、桶形状物体（１）の表面上に、例えば、砂漠の砂（４）を桶形状物体（１）の表面上に、高さが３０ｃｍ前後の盛り砂（４）をして、桶形状物体（１）と、フィルム（１２）、及び散水管（２）を埋設して、バルブ（９）、及び散水管（２）を経由して桶形状物体（１）の内部に水溶液を散水して植物である穀物、果樹、野菜、及び樹木などの植物を栽培、生育、及び生長をさせるのに必要な水溶液が、砂漠の地下に漏水をして逃げないように、砂漠の地下３０ｃｍ前後のところにフィルム（１２）を使用して耕作地（１３）の全面積を覆って、散水管（２）を経由して散水をした水溶液が砂漠の地下に漏れて漏水をさせない構成とすると、同時に、防水壁（１４）を耕作地（１３）の外周の側壁に形成をして、耕作地（１３）の内部に水溶液を満水状態に注水をした、稲作を可能とすることを目的とした、砂漠の水田にて稲作を行なうことを実施例１８とする。
【実施例１９】
【００５８】
砂漠に於いて植物である穀物、果樹、野菜、及び樹木が生育、及び生長をすることが出来ない、最大の理由は、砂漠の砂（４）が含有をしている塩分の塩分濃度が、約１０００PPMある。人体の塩分濃度は３００PPM程度である。この砂漠の砂（４）が含有をしている塩分濃度は、例えば、砂漠の地下が１ｍよりも、地下が２ｍのほうが塩分濃度は高い。さらに、地下が２ｍよりも、地下が３ｍのほうが、より一段と塩分濃度は高いのが砂漠時有の現象である。この塩分濃度が高い砂漠の砂（４）に、砂漠の表層（１０）の表面上から水溶液を散水すると、砂漠の砂（４）が含有をしている塩分が、砂漠の表層（１０）から散水をすれば、するほど、蒸散作用、又は蒸発作用（以下、略して、蒸散作用とする）の現象により、砂漠の表層（１０）である、砂漠の表面上には、砂漠の地下から塩分が上昇をして、砂漠の表層（１０）である、砂漠の表面上には、例えば、塩分濃度が５０００PPMから１００００PPMと、砂漠の表層（１０）の表面上から散水をすれば、するほどに、塩分濃度が高くなることが、砂漠に於いて植物である穀物、果樹、野菜、及び樹木が生育、及び生長をすることが出来ないことが、最大の理由である。また、地球上で、最も塩分に強い植物としては、ナツメヤシである。このナツメヤシは、塩分濃度が１０００PPMの砂漠でも生育、及び生長をすることが出来る。さらに薩摩芋は８００PPMから１０００PPM程度でも十分に生育、及び生長をすることが出来る。この砂漠の表層（１０）の砂（４）が含有をしている塩分濃度が１０００PPMである。この砂漠の砂（４）が含有をしている塩分濃度が１０００PPM以上にならないようにするのには、砂漠の表層（１０）の表面上から散水をしなければ、砂漠の表層（１０）の表面上の砂（４）が含有をしている塩分濃度は１０００PPMを維持することになる。この問題を解決する手段として、下記に説明をしている、桶形状物体（１）、又は発泡スチロール製箱（１）、又はポリ乳酸製発泡農業用箱（１）（以下、略して、桶形状物体（１）とする）を使用して、地下から水溶液を散水して、毛細管現象により砂漠の表層（１０）である、砂漠の表面上まで、水溶液を吸い上げさせると、桶形状物体（１）と砂漠の表層（１０）との中間に存在をしている砂漠の砂（４）だけとの関係となり、桶形状物体（１）を埋設をしている、例えば、砂漠の地下１ｍの地点に桶形状物体（１）を埋設して水溶液を散水するのであれば、砂漠の地下１ｍの地点に埋設をしている桶形状物体（１）よりも深い、砂漠の地下１ｍよりも深い、砂漠の砂（４）が含有をしている塩分が、砂漠の表層（１０）である、砂漠の表面上まで上昇をするのを、桶形状物体（１）を埋設している地点にて遮断をすることが出来ることを発明・発見した。この発明・発見により、砂漠の砂（４）が含有をしている塩分濃度が強い塩害を防止することが出来る農業技術を研究開発したことにより、極く近い将来、砂漠は穀倉地帯となる可能性を秘めていることを実施例１９とする。
【実施例２０】
【００５９】
桶形状物体（１）を砂漠の地下１ｍ前後の地下のところに埋設をして、桶形状物体（１）の内部に散水管（２）を経由して水溶液を供給して植物である穀物、果樹、野菜、及び樹木などの植物を栽培すると、桶形状物体（１）を埋設している地下１ｍ前後の地点と、砂漠の表層（１０）との中間に存在をしている、砂漠の砂（４）が含有をしている塩分を植物である穀物、果樹、野菜、及び樹木が、年々塩分を吸収して蒸散作用にて蒸散をすることにより、桶形状物体（１）と砂漠の表層（１０）との中間に存在をしている、砂漠の砂（４）が含有をしている塩分濃度は年々低下をする。また、塩分濃度が高い砂漠の砂（４）を耕作地として薩摩芋、トマト、トウモロコシ、ニンジン、カボチャ、パイナップル、及びマンゴーなどの植物を栽培すると糖度が高くなる利点があることを実施例２０とする。
【実施例２１】
【００６０】
砂漠の砂（４）が含有をしている塩分の塩分濃度が高いために、砂漠に於いては、例えば、砂漠の砂（４）が含有をしている塩分濃度が１０００PPM前後と高濃度の塩分濃度なので、植物として生長、及び生育が出来るのは、せいぜいナツメヤシぐらいの植物しか栽培をすることが出来ないのが砂漠の表層（１０）の現状である。この砂漠の砂（４）が含有をしている塩分を、砂漠の砂（４）が含有をしている、砂漠の表層（１０）の表面上にて植物である穀物、果樹、野菜、及び樹木などの植物を栽培すると、植物は蒸散作用により、砂漠の地下から植物は塩分を、次から次に吸い上げて、砂漠の表層（１０）の表面上に塩分を蒸散作用にて撒き散らすので、砂漠の表層（１０）の表面上の塩分濃度は、植物を栽培すれば、するほどに、砂漠の表層（１０）の表面上の塩分濃度は、どんどんと高くなるがために、砂漠の表層（１０）の表面上では、植物を栽培することが出来ないことが砂漠の最大の欠点である。この砂漠の砂（４）が含有をしている塩分の影響を回避するために、発泡スチロール製箱（１）を砂漠の表層（１０）の表面上に敷き詰めて、砂漠の地下と植物などとを栽培している、砂漠の表層（１０）である耕作地（７）とを断絶させて、砂漠の表層（１０）の表面上に砂漠の地下から植物が蒸散作用にて塩分を吸い上げることが出来ない構造とした耕作地（７）を提供することを目的とする。この砂漠の地下から植物が蒸散作用により塩分を吸い上げることが出来ない構造の耕作地（７）を提供する目的にて、砂漠の表層（１０）の地下を掘り下げて、例えば、３０ｃｍから１ｍ前後の砂漠の地下を掘り下げて砂漠の地下に、高さが３０ｃｍで、縦巾が４５ｃｍで、横巾が４５ｃｍの発泡スチロール製箱（１）を直列、及び並列に並べて耕作地（７）を形成する目的にて、砂漠の地下の耕作地（７）とする面積の、全ての面積に発泡スチロール製箱（１）を並べて盛り土（１７）をして埋没をさせたあと、発泡スチロール製箱（１）の表面上に耕作地（７）を形成することが出来ることを実施例２１とする。
【実施例２２】
【００６１】
砂漠の砂（４）が含有をしている塩分の塩分濃度が高いために、砂漠に於いては、例えば、砂漠の砂（４）が含有をしている塩分濃度が１０００PPM前後と高濃度の塩分濃度なので、植物として生長、及び生育が出来るのは、せいぜいナツメヤシぐらいの植物しか栽培をすることが出来ないのが砂漠の表層（１０）の現状である。この砂漠の砂（４）が含有をしている塩分を、砂漠の砂（４）が含有をしている、砂漠の表層（１０）の表面上にて植物である穀物、果樹、野菜、及び樹木などの植物を栽培すると、植物は蒸散作用により、砂漠の地下から植物は塩分を、次から次に吸い上げて、砂漠の表層（１０）の表面上に塩分を蒸散作用にて撒き散らすので、砂漠の表層（１０）の表面上の塩分濃度は、植物を栽培すれば、するほどに、砂漠の表層（１０）の表面上の塩分濃度は、どんどんと高くなるがために、砂漠の表層（１０）の表面上では、植物を栽培することが出来ないことが砂漠の最大の欠点である。この砂漠の砂（４）が含有をしている塩分の影響を回避するために、発泡スチロール製箱（１）を砂漠の表層（１０）の表面上に敷き詰めて、砂漠の地下と植物などとを栽培している、砂漠の表層（１０）である耕作地（７）とを断絶させて、砂漠の表層（１０）の表面上に砂漠の地下から植物が蒸散作用にて塩分を吸い上げることが出来ない構造とした耕作地（７）を提供することを目的とする。この砂漠の地下から植物が蒸散作用により塩分を吸い上げることが出来ない構造の耕作地（７）を提供する目的にて、砂漠の表層（１０）の表面上を整地して、例えば、高さが３０ｃｍで、縦巾が４５ｃｍで、横巾が４５ｃｍの発泡スチロール製箱（１）を直列、及び並列に並べて耕作地（７）を形成する目的にて、砂漠の表層（１０）の表面上に耕作地（７）とする面積の、全ての面積に発泡スチロール製箱（１）を並べたあと、発泡スチロール製箱（１）の上部の部分に、例えば、高さが３０ｃｍから１ｍ前後の盛り土（１７）をして、発泡スチロール製箱（１）の表面上に耕作地（７）を形成することが出来ることを実施例２２とする。
【実施例２３】
【００６２】
福島県にある、原子力発電所の事故により、周辺地域の運動場、又は水田、畑、耕作地などの土壌が、セシウムなどの放射性物質に汚染をされて、人体、及び植物を栽培するのに、人体、及び植物に影響を与える、放射線量を上回っている、運動場、又は耕作地の地域が広い範囲の地域にて発生をしている。この放射能、又は放射線（以下、略して、放射能とする）例えば、セシウム、プルトニウム、又はその他の放射性物質（以下、略して、セシウムとする）である、セシウムに汚染をされた、運動場、水田、畑、及びその他の土壌（以下、略して、運動場、又は耕作地、又は土壌とする）が、セシウムなどの放射性物質に汚染をされた運動場、又は耕作地の、放射性物質の放射線量を低下させて、人体に影響を与えない、安全な運動場、又は安全な植物を育成させて成長をさせることが出来る耕作地を提供することを目的とする。この目的を達成するために、セシウムなどの放射能を効率よく吸収をすることが出来る、活性炭、又はゼオライトなどを混入して成型をした、発泡スチロール製板（１）、又は発泡スチロール製箱（１）を使用して、セシウムなどの放射能を除去する目的のために、放射能に汚染をされている地下に、例えば、発泡スチロールで出来ている、厚さが、３ｃｍ、又は５ｃｍ、又は１０ｃｍ前後の、縦×横が、４５ｃｍ×４５ｃｍ、又は１ｍ前後の、ヤシ殻活性炭、又はバカス活性炭、又はカーボンブラック、又はケッチェンブラック、又はカーボンナノチューブ、又はグラフェン、又はゼオライト（以下、略して、活性炭、又はゼオライトとする）を、発泡スチロールを成型する原材料の内部に混入して混合をして、活性炭、又はゼオライトを、発泡スチロールの原材料の内部に混入した原材料を使用して成型をした、発泡スチロールで出来ている、発泡スチロール製板のカット板（１）、又は発泡スチロール製箱（１）を直列、及び並列に並べたあと、発泡スチロール製箱（１）の上から、放射能に汚染をされていない土壌（４）を盛り土して、発泡スチロール製箱（１）を埋没させている盛り砂、又は盛り土（以下、略して、盛り土とする）を使用して、運動場、又は耕作地などが含有をしている、セシウムなどの放射能を除去することを目的とする。
この放射能に汚染をされた運動場（１９）、又は耕作地（１９）が含有をしている、セシウムなどの放射性物質を、運動場（１９）、又は耕作地（１９）の表面上にて植物である穀物、果樹、野菜、及び樹木などの植物を栽培すると、植物は蒸散作用により、放射能に汚染をされた地下から植物は、セシウムなどの放射性物質を、次から次にと吸い上げて、運動場（１９）、又は耕作地（１９）の表面上にセシウムなどの放射性物質を蒸散作用にて撒き散らすので、放射能に汚染をされた耕作地（１９）の表面上の、セシウムなどの放射性物質の放射線量の数値は、植物を栽培すれば、するほどに、運動場（１９）、又は耕作地（１９）の表面上のセシウムなどの放射性物質の濃度は、どんどんと高くなる。この問題を回避するために、運動場（１９）、又は耕作地（１９）の地下に発泡スチロール製箱（１）を敷き詰めて、耕作地（１９）の表層と、植物などとを栽培している地下とを断絶させて、運動場（１９）、又は耕作地（１９）の表面上に運動場（１９）、又は耕作地（１９）の地下から、植物が蒸散作用にて、セシウムなどの放射性物質を蒸散作用にて、運動場（１９）、又は耕作地（１９）の表面上に吸い上げることが出来ない構造とした運動場（１９）、又は耕作地（１９）を提供することを目的とする。この運動場（１９）、又は耕作地（１９）の地下から、植物の蒸散作用により、セシウムなどの放射性物質を吸い上げることが出来ない構造の耕作地（１９）を提供する目的にて、例えば、運動場（１９）、又は耕作地（１９）の地下、３０ｃｍから５０ｃｍの、地下を掘り下げて、運動場（１９）、又は耕作地（１９）の地下に、発泡スチロールで出来ている、厚さが、３ｃｍ、又は５ｃｍ、又は１０ｃｍ前後の、縦×横が、４５ｃｍ×４５ｃｍ、又は１ｍ×１ｍ前後の、発泡スチロールで出来ている、発泡スチロール製板のカット板（１）、又は高さが、１０ｃｍ、又は３０ｃｍで、縦巾が４５ｃｍで、横巾が４５ｃｍの発泡スチロール製箱（１）を直列、及び並列に並べて運動場（１９）、又は耕作地（１９）を形成して、発泡スチロール製箱（１）と、植物などを栽培する、運動場（１９）、又は耕作地（１９）の表面上と、発泡スチロール製箱（１）との中間だけで水溶液を循環させる構成とするために、運動場（１９）、又は耕作地（１９）の地下の、全ての面積に発泡スチロール製箱（１）を直列、及び並列に並べて盛り土（２０）をして、発泡スチロール製箱（１）を埋設させたあと、発泡スチロール製箱（１）の表面上に運動場（１９）、又は耕作地（１９）を形成している発泡スチロール製箱（１）を使用して、放射能の影響を除去した運動場、耕作地、及び土壌改良を行なうことを実施例２３とする。
【実施例２４】
【００６３】
福島県にある、原子力発電所の事故により、周辺地域の運動場、又は水田、畑、耕作地などの土壌が、セシウムなどの放射性物質に汚染をされて、人体、及び植物を栽培するのに、人体、及び植物に影響を与える、放射線量を上回っている、運動場、又は耕作地の地域が広い範囲の地域にて発生をしている。この放射能、又は放射線（以下、略して、放射能とする）例えば、セシウム、プルトニウム、又はその他の放射性物質（以下、略して、セシウムとする）である、セシウムに汚染をされた、運動場、水田、畑、及びその他の土壌（以下、略して、運動場、又は耕作地、又は土壌とする）が、セシウムなどの放射性物質に汚染をされた耕作地の、放射性物質の放射線量を低下させて、人体に影響を与えない、安全な運動場、又は安全な植物を育成させて成長をさせることが出来る耕作地を提供することを目的とする。
この放射能に汚染をされた運動場（１９）、又は耕作地（１９）が含有をしている、セシウムなどの放射性物質を、運動場（１９）、又は耕作地（１９）の表面上にて植物である穀物、果樹、野菜、及び樹木などの植物を栽培すると、植物は蒸散作用により、放射能に汚染をされた地下から植物は、セシウムなどの放射性物質を、次から次にと吸い上げて、運動場（１９）、又は耕作地（１９）の表面上にセシウムなどの放射性物質を蒸散作用にて撒き散らすので、放射能に汚染をされた運動場（１９）、又は耕作地（１９）の表面上の、セシウムなどの放射性物質の放射線量の数値は、植物を栽培すれば、するほどに、運動場（１９）、又は耕作地（１９）の表面上のセシウムなどの放射性物質の濃度は、どんどんと高くなる。この問題を回避するために、運動場（１９）、又は耕作地（１９）の地下に発泡スチロール製箱（１）を敷き詰めて、運動場（１９）、又は耕作地（１９）の表層と、植物などとを栽培している地下とを断絶させて、運動場（１９）、又は耕作地（１９）の表面上に耕作地（１９）の地下から、植物が蒸散作用にて、セシウムなどの放射性物質を蒸散作用にて、運動場（１９）、又は耕作地（１９）の表面上に吸い上げることが出来ない構造とした運動場（１９）、又は耕作地（１９）を提供することを目的とする。この運動場（１９）、又は耕作地（１９）の地下から、植物の蒸散作用により、セシウムなどの放射性物質を吸い上げることが出来ない構造の運動場（１９）、又は耕作地（１９）を提供する目的にて、例えば、放射能に汚染をされた運動場（１９）、又は耕作地（１９）の表面上を整地して、例えば、発泡スチロールで出来ている、厚さが、３ｃｍ、又は５ｃｍ、又は１０ｃｍ前後の、縦×横が、４５ｃｍ×４５ｃｍ、又は１ｍ×１ｍ前後の、発泡スチロールで出来ている、発泡スチロール製板のカット板（１）、又は高さが、３０ｃｍで、縦巾が４５ｃｍで、横巾が４５ｃｍの発泡スチロール製箱（１）を直列、及び並列に並べて、放射能に汚染をさせていない土壌（４）を使用して、運動場（１９）、又は耕作地（１９）を形成する目的にて、放射能に汚染をされている運動場（１９）、又は耕作地（１９）の、全ての面積に発泡スチロール製箱（１）を並べたあと、発泡スチロール製箱（１）の上部の部分に、例えば、高さが１０ｃｍ、又は３０ｃｍから１ｍ前後の盛り土（２０）をして、発泡スチロール製箱（１）の表面上に運動場（１９）、又は耕作地（１９）を形成して、放射能の影響を除去した運動場、耕作地、及び土壌改良を行なうことを実施例２４とする。
【産業上の利用可能性】
【００６４】
地球上の陸地の、約２５％程度の面積が、不毛の大地の砂漠である。この不毛の大地の砂漠を緑化して、植物である穀物、果樹、野菜、及び樹木などを耕作することが出来る農耕地とすることにより、将来、地球上に於いて人口が増大をして食料不足となる事態を回避することが出来る可能性がある。
【符号の説明】
【００６５】
１  桶、又は桶形状物体、又はダンボール箱、又は発泡スチロール製箱、又はポリ乳酸製発泡農業用箱（以下、略して、桶形状物体、又は発泡スチロール製箱、又はポリ乳酸製発泡農業用箱、又はポリ乳酸製発泡農業用容器とする）
２  散水管
３  砂（４）が流入をするのを防止する防止弁（以下、略して、防止弁とする）
４  砂、又は放射能に汚染をされていない土壌（以下、略して、砂、土壌とする）
５  生分解性プラスチックを原材料として出来ているフィルム（以下、略して、フィルムとする）
６  発泡スチロール製箱（１）、又はポリ乳酸製発泡農業用箱（１）の、４箇所の側面上に形成をしている穴（以下、略して、穴とする）
７  運動場、又は耕作地の土の内部である土壌（以下、略して、運動場、又は土壌、又は耕作地とする）
８  砂漠の砂（４）、又は放射能に汚染をされていない土壌（４）が含水をして湿度が６５％以上を維持している部分の砂（８）（以下、略して、砂（８）、又は土壌（８）とする）
９  バルブ
１０  砂漠の表面上の表層（以下、略して、表層とする）
１１  畝
１２  農業用に使用されているマルチフィルム、又はその他のフィルム（以下、略して、マルチ、又はmulchとする）
１３  砂漠の表面上に形成をしている耕作地（以下、略して、耕作地とする）
１４  耕作地に散水をした水溶液が側壁から漏水するのを防止する防水壁（以下、略して、防水壁とする）
１５  稲作を行なっている水田の水面（以下、略して、水面とする）
１６  ヤシ殻活性炭、又はバカス活性炭、又はカーボンブラック、又はケッチェンブラック、又はカーボンナノチューブ、又はグラフェン、又はゼオライト（以下、略して、活性炭、又はゼオライトとする）を、発泡スチロールを成型する原材料の内部に混入して混合をして、活性炭、又はゼオライトを、発泡スチロールの原材料の内部に混入した原材料を使用して成型をした、発泡スチロール製箱（１）、又はダンボール箱（１）、又はポリ乳酸製発泡農業用箱（１）、又はその他の容器（１）（以下、略して、発泡スチロール製箱（１）、又はポリ乳酸製発泡農業用箱（１）とする）を運動場（７）、又は耕作地（７）の地下に直列、及び並列に運動場（７）、又は耕作地（７）の地下の全ての面積に発泡スチロール製箱（１）を、並べて埋設をしている発泡スチロール製箱（１）、又はポリ乳酸製発泡農業用箱（１）
１７  砂漠の表層（１０）の地下に発泡スチロール製箱（１）を直列、及び並列に並べたあと、発泡スチロール製箱（１）の上から砂漠の砂（４）を盛り砂、又は盛り土をして、発泡スチロール製箱（１）を埋没させている盛り砂、又は盛り土（以下、略して、盛り土とする）
１８  砂漠の表層（１０）、又は放射能に汚染をされた耕作地（１９）の、例えば、地下１ｍ前後の地下（以下、略して、砂漠の地下、又は耕作地の地下とする）
１９  放射能に汚染をされた運動場、又は耕作地、又は土壌（以下、略して、耕作地とする）
２０  放射能に汚染をされている地下に、発泡スチロールで出来ている、例えば、厚さが、３ｃｍ、又は５ｃｍ、又は１０ｃｍ前後の、縦×横が、４５ｃｍ×４５ｃｍ、又は１ｍ前後の、ヤシ殻活性炭、又はバカス活性炭、又はカーボンブラック、又はケッチェンブラック、又はカーボンナノチューブ、又はグラフェン、又はゼオライト（以下、略して、活性炭、又はゼオライトとする）を、発泡スチロールを成型する原材料の内部に混入して混合をして、活性炭、又はゼオライトを、発泡スチロールの原材料の内部に混入した原材料を使用して成型をした、発泡スチロールで出来ている、発泡スチロール製板のカット板（１）、又は発泡スチロール製箱（１）を直列、及び並列に並べたあと、発泡スチロール製箱（１）の上から、放射能に汚染をされていない土壌（４）を盛り土して、発泡スチロール製箱（１）を埋没させている盛り砂、又は盛り土（以下、略して、盛り土とする）
【図１】
2014113140.tif 000003
【図２】
2014113140.tif 000004
【図３】
2014113140.tif 000005
【図４】
2014113140.tif 000006
【図５】
2014113140.tif 000007
【図６】
2014113140.tif 000008
【図７】
2014113140.tif 000009
【図８】
2014113140.tif 000010
【図９】
2014113140.tif 000011
【図１０】
2014113140.tif 000012
【図１１】
2014113140.tif 000013
【図１２】
2014113140.tif 000014
【図１３】
2014113140.tif 000015
【図１４】
2014113140.tif 000016
【図１５】
2014113140.tif 000017
【図１６】
2014113140.tif 000018
【図１７】
2014113140.tif 000019
【図１８】
2014113140.tif 000020
【図１９】
2014113140.tif 000021
【図２０】
2014113140.tif 000022
【図２１】
2014113140.tif 000023
【図２２】
2014113140.tif 000024
【図２３】
2014113140.tif 000025
【図２４】
2014113140.tif 000026
【図２５】
2014113140.tif 000027
【図２６】
2014113140.tif 000028
【図２７】
2014113140.tif 000029
【図２８】
2014113140.tif 000030
【図２９】
2014113140.tif 000031
【図３０】
2014113140.tif 000032
【図３１】
2014113140.tif 000033
【図３２】
2014113140.tif 000034
【図３３】
2014113140.tif 000035
【図３４】
2014113140.tif 000036